(57)【要約】  本開示は、ランダムアクセス方法及び通信装置を提供し、該方法は、選択可能なビームのうちのターゲットビームを用いてランダムアクセスプロセスにおけるメッセージを伝送することを含み、前記ランダムアクセスプロセスにおけるメッセージは、Ｍｓｇ１、Ｍｓｇ２、Ｍｓｇ３又はＭｓｇ４である。
2021520758.tif 000002
【特許請求の範囲】
【請求項１】
選択可能なビームのうちのターゲットビームを用いてランダムアクセスプロセスにおけるメッセージを伝送することを含み、
前記ランダムアクセスプロセスにおけるメッセージは、Ｍｓｇ１、Ｍｓｇ２、Ｍｓｇ３又はＭｓｇ４である、ランダムアクセス方法。
【請求項２】
前記メッセージがＭｓｇ１である場合、前記選択可能なビームは、第１のビーム及び／又は第２のビームを含み、
前記第１のビームは、受信されたダウンリンク参照信号における品質が第１の閾値よりも優れるダウンリンクビームと関連関係を有するアップリンクビームであり、
前記第２のビームは、専用無線リソース制御ＲＲＣメッセージ中に設定されたダウンリンクビームと関連関係を有するアップリンクビームである、請求項１に記載の方法。
【請求項３】
前記メッセージがＭｓｇ２である場合、前記選択可能なビームは、第３のビーム、第４のビーム、第５のビーム及び第６のビームのうちの少なくとも１つを含み、
前記第３のビームは、Ｍｓｇ１を送信するアップリンクビームと関連関係を有するダウンリンクビームであり、
前記第４のビームは、受信されたダウンリンク参照信号における品質が第１の閾値よりも優れるダウンリンクビームと疑似コロケーションＱＣＬ関係を有するダウンリンクビームであり、
前記第５のビームは、受信されたダウンリンク参照信号における品質が第１の閾値よりも優れるダウンリンクビームと同じであるダウンリンクビームであり、
前記第６のビームは、専用無線リソース制御ＲＲＣメッセージ中に設定されたダウンリンクビームである、請求項１に記載の方法。
【請求項４】
前記第６のビームが、利用可能であり、かつＭｓｇ１を送信するアップリンクビームと関連関係を有する場合、或いは、前記第６のビームが、利用可能であり、かつ受信されたダウンリンク参照信号における品質が第１の閾値よりも優れるダウンリンクビームとＱＣＬ関係を有する場合、或いは、前記第６のビームが、利用可能であり、かつ受信されたダウンリンク参照信号における品質が第１の閾値よりも優れるダウンリンクビームと同じである場合、前記ターゲットビームは、前記第６のビームであり、そうでなければ、第３のビーム、第４のビーム又は第５のビームである、請求項３に記載の方法。
【請求項５】
前記メッセージがＭｓｇ３である場合、前記選択可能なビームは、第７のビーム、第８のビーム、第９のビーム、第１０のビーム、第１１のビーム及び第１２のビームのうちの少なくとも１つを含み、
前記第７のビームは、Ｍｓｇ１を送信するアップリンクビームと同じであるアップリンクビームであり、
前記第８のビームは、Ｍｓｇ１を送信するアップリンクビームと疑似コロケーションＱＣＬ関係を有するアップリンクビームであり、
前記第９のビームは、Ｍｓｇ２中で指示されたアップリンクビームであり、
前記第１０のビームは、専用無線リソース制御ＲＲＣメッセージ中に設定されたダウンリンクビームと関連関係を有するアップリンクビームであり、
前記第１１のビームは、専用無線リソース制御ＲＲＣメッセージ中に設定されたアップリンクビームであり、
前記第１２のビームは、Ｍｓｇ２を受信するダウンリンクビームと関連関係を有するアップリンクビームである、請求項１に記載の方法。
【請求項６】
前記メッセージがＭｓｇ４である場合、前記選択可能なビームは、第３のビーム、第４のビーム、第５のビーム、第６のビーム、第１３のビーム、第１４のビーム、第１５のビーム、第１６のビーム及び第１７のビームのうちの少なくとも１つを含み、
前記第３のビームは、Ｍｓｇ１を送信するアップリンクビームと関連関係を有するダウンリンクビームであり、
前記第４のビームは、受信されたダウンリンク参照信号における品質が第１の閾値よりも優れるダウンリンクビームと疑似コロケーションＱＣＬ関係を有するダウンリンクビームであり、
前記第５のビームは、受信されたダウンリンク参照信号における品質が第１の閾値よりも優れるダウンリンクビームと同じであるダウンリンクビームであり、
前記第６のビームは、専用無線リソース制御ＲＲＣメッセージ中に設定されたダウンリンクビームであり、
前記第１３のビームは、Ｍｓｇ２中で指示されたダウンリンクビームであり、
前記第１４のビームは、Ｍｓｇ２を受信するダウンリンクビームであり、
前記第１５のビームは、Ｍｓｇ２を受信するダウンリンクビームと疑似コロケーションＱＣＬ関係を有するダウンリンクビームであり、
前記第１６のビームは、Ｍｓｇ３を送信するアップリンクビームと関連関係を有するダウンリンクビームであり、
前記第１７のビームは、専用無線リソース制御ＲＲＣメッセージ中に設定されたアップリンクビームと関連関係を有するダウンリンクビームである、請求項１に記載の方法。
【請求項７】
前記第６のビームが、利用可能であり、かつＭｓｇ１を送信するアップリンクビームと関連関係を有する場合、或いは、前記第６のビームが、利用可能であり、かつ受信されたダウンリンク参照信号における品質が第１の閾値よりも優れるダウンリンクビームとＱＣＬ関係を有する場合、或いは、前記第６のビームが、利用可能であり、かつ受信されたダウンリンク参照信号における品質が第１の閾値よりも優れるダウンリンクビームと同じである場合、前記ターゲットビームは、前記第６のビームであり、そうでなければ、前記第３のビーム、前記第４のビーム、前記第５のビーム、前記第１３のビーム、前記第１４のビーム、前記第１５のビーム、前記第１６のビーム又は前記第１７のビームである、請求項６に記載の方法。
【請求項８】
前記ターゲットビームは、前記選択可能なビームのうちの、利用可能で最も優先度の高いビームである、請求項１に記載の方法。
【請求項９】
前記選択可能なビームは、ネットワーク装置がＭｓｇ２により端末装置に対して指示したビームを含む、請求項１に記載の方法。
【請求項１０】
前記選択可能なビームは、ネットワーク装置が専用無線リソース制御ＲＲＣメッセージにより端末装置に対して設定したビームによって決定されるビームを含む、請求項１に記載の方法。
【請求項１１】
選択可能なビームのうちのターゲットビームを用いてランダムアクセスプロセスにおけるメッセージを伝送する伝送モジュールを含み、
前記ランダムアクセスプロセスにおけるメッセージは、Ｍｓｇ１、Ｍｓｇ２、Ｍｓｇ３又はＭｓｇ４である、通信装置。
【請求項１２】
前記メッセージがＭｓｇ１である場合、前記選択可能なビームは、第１のビーム及び／又は第２のビームを含み、
前記第１のビームは、受信されたダウンリンク参照信号における品質が第１の閾値よりも優れるダウンリンクビームと関連関係を有するアップリンクビームであり、
前記第２のビームは、専用無線リソース制御ＲＲＣメッセージ中に設定されたダウンリンクビームと関連関係を有するアップリンクビームである、請求項１１に記載の通信装置。
【請求項１３】
前記メッセージがＭｓｇ２である場合、前記選択可能なビームは、第３のビーム、第４のビーム、第５のビーム及び第６のビームのうちの少なくとも１つを含み、
前記第３のビームは、Ｍｓｇ１を送信するアップリンクビームと関連関係を有するダウンリンクビームであり、
前記第４のビームは、受信されたダウンリンク参照信号における品質が第１の閾値よりも優れるダウンリンクビームと疑似コロケーションＱＣＬ関係を有するダウンリンクビームであり、
前記第５のビームは、受信されたダウンリンク参照信号における品質が第１の閾値よりも優れるダウンリンクビームと同じであるダウンリンクビームであり、
前記第６のビームは、専用無線リソース制御ＲＲＣメッセージ中に設定されたダウンリンクビームである、請求項１１に記載の通信装置。
【請求項１４】
前記第６のビームが、利用可能であり、かつＭｓｇ１を送信するアップリンクビームと関連関係を有する場合、或いは、前記第６のビームが、利用可能であり、かつ受信されたダウンリンク参照信号における品質が第１の閾値よりも優れるダウンリンクビームとＱＣＬ関係を有する場合、或いは、前記第６のビームが、利用可能であり、かつ受信されたダウンリンク参照信号における品質が第１の閾値よりも優れるダウンリンクビームと同じである場合、前記ターゲットビームは、前記第６のビームであり、そうでなければ、第３のビーム、第４のビーム又は第５のビームである、請求項１３に記載の通信装置。
【請求項１５】
前記メッセージがＭｓｇ３である場合、前記選択可能なビームは、第７のビーム、第８のビーム、第９のビーム、第１０のビーム、第１１のビーム及び第１２のビームのうちの少なくとも１つを含み、
前記第７のビームは、Ｍｓｇ１を送信するアップリンクビームと同じであるアップリンクビームであり、
前記第８のビームは、Ｍｓｇ１を送信するアップリンクビームと疑似コロケーションＱＣＬ関係を有するアップリンクビームであり、
前記第９のビームは、Ｍｓｇ２中で指示されたアップリンクビームであり、
前記第１０のビームは、専用無線リソース制御ＲＲＣメッセージ中に設定されたダウンリンクビームと関連関係を有するアップリンクビームであり、
前記第１１のビームは、専用無線リソース制御ＲＲＣメッセージ中に設定されたアップリンクビームであり、
前記第１２のビームは、Ｍｓｇ２を受信するダウンリンクビームと関連関係を有するアップリンクビームである、請求項１１に記載の通信装置。
【請求項１６】
前記メッセージがＭｓｇ４である場合、前記選択可能なビームは、第３のビーム、第４のビーム、第５のビーム、第６のビーム、第１３のビーム、第１４のビーム、第１５のビーム、第１６のビーム及び第１７のビームのうちの少なくとも１つを含み、
前記第３のビームは、Ｍｓｇ１を送信するアップリンクビームと関連関係を有するダウンリンクビームであり、
前記第４のビームは、受信されたダウンリンク参照信号における品質が第１の閾値よりも優れるダウンリンクビームと疑似コロケーションＱＣＬ関係を有するダウンリンクビームであり、
前記第５のビームは、受信されたダウンリンク参照信号における品質が第１の閾値よりも優れるダウンリンクビームと同じであるダウンリンクビームであり、
前記第６のビームは、専用無線リソース制御ＲＲＣメッセージ中に設定されたダウンリンクビームであり、
前記第１３のビームは、Ｍｓｇ２中で指示されたダウンリンクビームであり、
前記第１４のビームは、Ｍｓｇ２を受信するダウンリンクビームであり、
前記第１５のビームは、Ｍｓｇ２を受信するダウンリンクビームと疑似コロケーションＱＣＬ関係を有するダウンリンクビームであり、
前記第１６のビームは、Ｍｓｇ３を送信するアップリンクビームと関連関係を有するダウンリンクビームであり、
前記第１７のビームは、専用無線リソース制御ＲＲＣメッセージ中に設定されたアップリンクビームと関連関係を有するダウンリンクビームである、請求項１１に記載の通信装置。
【請求項１７】
前記第６のビームが、利用可能であり、かつＭｓｇ１を送信するアップリンクビームと関連関係を有する場合、或いは、前記第６のビームが、利用可能であり、かつ受信されたダウンリンク参照信号における品質が第１の閾値よりも優れるダウンリンクビームとＱＣＬ関係を有する場合、或いは、前記第６のビームが、利用可能であり、かつ受信されたダウンリンク参照信号における品質が第１の閾値よりも優れるダウンリンクビームと同じである場合、前記ターゲットビームは、前記第６のビームであり、そうでなければ、前記第３のビーム、前記第４のビーム、前記第５のビーム、前記第１３のビーム、前記第１４のビーム、前記第１５のビーム、前記第１６のビーム又は前記第１７のビームである、請求項１６に記載の通信装置。
【請求項１８】
前記ターゲットビームは、前記選択可能なビームのうちの、利用可能で最も優先度の高いビームである、請求項１１に記載の通信装置。
【請求項１９】
前記選択可能なビームは、ネットワーク装置がＭｓｇ２により端末装置に対して指示したビームを含む、請求項１１に記載の通信装置。
【請求項２０】
前記選択可能なビームは、ネットワーク装置が専用無線リソース制御ＲＲＣメッセージにより端末装置に対して設定したビームによって決定されるビームを含む、請求項１１に記載の通信装置。
【請求項２１】
プロセッサと、メモリと、前記メモリに記憶されて前記プロセッサ上で実行可能で、前記プロセッサによって実行されると、請求項１〜１０のいずれか１項に記載のランダムアクセス方法のステップを実現するコンピュータプログラムとを含む、通信装置。
【請求項２２】
プロセッサによって実行されると、請求項１〜１０のいずれか１項に記載のランダムアクセス方法のステップを実現するコンピュータプログラムが記憶されているコンピュータ可読記憶媒体。
【発明の詳細な説明】
【技術分野】
【０００１】
本願は、２０１８年５月１０日に提出された中国特許出願番号第２０１８１０４４４６４５．２の優先権を主張するものであり、その全ての内容は参照により本願に組み込まれるものとする。
本開示は、通信の技術分野に関し、特にランダムアクセス方法及び通信装置に関する。
【背景技術】
【０００２】
移動通信技術の発展に伴い、将来の移動通信システム、例えば第５世代（５ｔｈ−Ｇｅｎｅｒａｔｉｏｎ、５Ｇ）移動通信システムにおいて、２０Ｇｂｐｓのダウンリンク伝送レートと１０Ｇｂｐｓのアップリンク伝送レートという目標を達成するために、高周波通信及び大規模アンテナ技術が導入されることになる。高周波通信は、より広いシステム帯域幅を提供し、アンテナサイズをも小さくすることができることにより、基地局及びユーザ装置（Ｕｓｅｒ  Ｅｑｕｉｐｍｅｎｔ、ＵＥ）において大規模なアンテナを配置するのに有利である。高周波通信には、パスロスが大きく、干渉を受けやすく、リンクが脆弱であるという欠点がある一方、大規模アンテナ技術が、大きなアンテナゲインを提供することができるため、高周波通信と大規模なアンテナとの組み合わせは、将来の移動通信システム（例えば、５Ｇ）の必然的な傾向である。
【０００３】
将来の移動通信システムでは、ランダムアクセスプロセスにおいて、大規模なアンテナにおけるマルチビーム（即ち、Ｂｅａｍ）を用いてランダムアクセスプロセスにおける各メッセージを送受信することもできる。しかしながら、従来技術には、ビームに基づいてランダムアクセスプロセスにおけるメッセージをどのように送受信するかについては、関連する解決手段がない。
【発明の概要】
【０００４】
本開示の実施例は、ランダムアクセスプロセスにおけるメッセージを送受信するビームの選択を規範化するために、ランダムアクセス方法及び通信装置を提供する。
【０００５】
第１の態様では、本開示の実施例に係るランダムアクセス方法は、
選択可能なビームのうちのターゲットビームを用いてランダムアクセスプロセスにおけるメッセージを伝送することを含み、
前記ランダムアクセスプロセスにおけるメッセージは、Ｍｓｇ１、Ｍｓｇ２、Ｍｓｇ３又はＭｓｇ４である。
【０００６】
第２の態様では、本開示の実施例に係る通信装置は、
選択可能なビームのうちのターゲットビームを用いてランダムアクセスプロセスにおけるメッセージを伝送する伝送モジュールを含み、
前記ランダムアクセスプロセスにおけるメッセージは、Ｍｓｇ１、Ｍｓｇ２、Ｍｓｇ３又はＭｓｇ４である。
【０００７】
第３の態様では、本開示の実施例に係る通信装置は、プロセッサと、メモリと、前記メモリに記憶されて前記プロセッサ上で実行可能で、前記プロセッサによって実行されると、上記ランダムアクセス方法のステップを実現するコンピュータプログラムとを含む。
【０００８】
第４の態様では、本開示の実施例に係るコンピュータ可読記憶媒体は、プロセッサによって実行されると、上記ランダムアクセス方法のステップを実現するコンピュータプログラムが記憶されている。
【０００９】
本開示の実施例では、選択可能なビームのうちのターゲットビームを用いて、Ｍｓｇ１、Ｍｓｇ２、Ｍｓｇ３又はＭｓｇ４であるランダムアクセスプロセスにおけるメッセージを伝送することにより、ビームに基づいてランダムアクセスプロセスにおけるメッセージを伝送することを実現し、ランダムアクセスプロセスにおけるメッセージを送受信するビームの選択を規範化することができる。
【図面の簡単な説明】
【００１０】
本開示の実施例の技術手段をより明確に説明するために、以下、本開示の実施例の説明に必要な図面を簡単に説明し、明らかに、以下に説明される図面は、本開示のいくつかの実施例に過ぎず、当業者であれば、創造的な労働をしない前提で、これらの図面に基づいて他の図面を得ることができる。
【００１１】
【図１】本開示の実施例に係る競合ランダムアクセスプロセスのフローチャートである。
【図２】本開示の実施例に係る非競合ランダムアクセスプロセスのフローチャートである。
【図３】本開示の実施例に係るランダムアクセス方法が適用可能なネットワークの概略構成図である。
【図４】本開示のさらなる実施例に係るランダムアクセス方法のフローチャートである。
【図５】本開示の実施例に係る通信装置の構成図である。
【図６】本開示の実施例に係る端末装置の構成図である。
【図７】本開示の実施例に係るネットワーク装置の構成図である。
【発明を実施するための形態】
【００１２】
以下、本開示の実施例における図面を参照しながら、本開示の実施例における技術手段を明確かつ完全的に説明する。明らかに、説明される実施例は、本開示の実施例の一部に過ぎず、全てではない。本開示の実施例に基づいて、当業者であれば、創造的な労働をしない前提で得られる他の全ての実施例は、いずれも本開示の保護範囲に属するものである。本願の明細書及び特許請求の範囲における用語「第１」、「第２」などは、類似した対象を区別するためのものであり、必ずしも特定の順序又は優先順位を説明するためのものではない。ここで説明した本願の実施例が、例えばここでの図示説明又は説明以外の順序でも実施できるように、このように使用されたデータは、適宜入れ替えてもよいと理解すべきである。また、用語「含む」、「備える」及びそれらのいかなる変形は、非排他的な包含をカバーすることを意図し、例えば、一連のステップ又はユニットを含むプロセス、方法、システム、製品又は装置は、明確に例示されたステップ又はユニットに限定されず、明確に例示されていないか又はこれらのプロセス、方法、システム、製品又は装置に固有の他のステップ又はユニットを含んでもよい。また、明細書及び特許請求の範囲において「及び／又は」を用いるのは、接続対象の少なくとも１つを表し、例えば、Ａ及び／又はＢ及び／又はＣは、Ａが単独で存在し、Ｂが単独で存在し、Ｃが単独で存在し、Ａ及びＢが同時に存在し、Ｂ及びＣが同時に存在し、Ａ及びＣが同時に存在し、Ａ、Ｂ及びＣが同時に存在するという７種類の場合を表す。
【００１３】
理解を容易にするために、以下、本開示の実施例に係るいくつかの用語を説明する。
【００１４】
ランダムアクセス：従来技術におけるロングタームエボリューション（Ｌｏｎｇ  ｔｅｒｍ  ｅｖｏｌｕｔｉｏｎ、ＬＴＥ）及び新しい無線（Ｎｅｗ  Ｒａｄｉｏ、ＮＲ）などは、いずれもランダムアクセスプロセスをサポートすることにより様々な目的を実現する必要があり、ランダムアクセスの目的は、以下の少なくとも１つを含んでよい。
【００１５】
１）、初期の無線リソース制御（Ｒａｄｉｏ  Ｒｅｓｏｕｒｃｅ  Ｃｏｎｔｒｏｌ、ＲＲＣ）アイドル状態のユーザ端末（Ｕｓｅｒ  Ｅｑｕｉｐｍｅｎｔ、ＵＥ）（即ち、Ｉｄｌｅ  ＵＥ）がネットワークに接続することをサポートする；
２）、ＲＲＣを再構成する；
３）、切り替える；
４）、ダウンリンクデータが到着するが、アップリンク同期外れが発生する；
５）、アップリンクデータが到着するが、アップリンク同期外れが発生する；
６）、ＵＥがＩｎａｃｔｉｖｅ（非アクティブ）状態からＡｃｔｉｖｅ（アクティブ）状態に遷移する；
７）、セカンダリセル（Ｓｅｃｏｎｄａｒｙ  Ｃｅｌｌ、ＳＣｅｌｌ）のアップリンク同期取得をサポートする；
８）、要求に基づくシステム情報（即ち、ｏｎ−ｄｅｍａｎｄ  ＳＩ）を要求する；
９）、ビーム失敗を回復する。
【００１６】
上記ランダムアクセスは、競合ランダムアクセスと非競合ランダムアクセスに分けられてよい。上記競合ランダムアクセスプロセスは、主に、
ランダムアクセスプリアンブル（Ｒａｎｄｏｍ  Ａｃｃｅｓｓ  Ｐｒｅａｍｂｌｅ）を伝送するメッセージ、即ち、Ｍｓｇ１、
ランダムアクセス応答（Ｒａｎｄｏｍ  Ａｃｃｅｓｓ  Ｒｅｓｐｏｎｓｅ）を伝送するメッセージ、即ち、Ｍｓｇ２、
スケジューリング伝送（Ｓｃｈｅｄｕｌｅｄ  Ｔｒａｎｓｍｉｓｓｉｏｎ）を伝送するメッセージ、即ち、Ｍｓｇ３、及び
競合解決（Ｃｏｎｔｅｎｔｉｏｎ  Ｒｅｓｏｌｕｔｉｏｎ）を伝送するメッセージ、即ち、Ｍｓｇ４という４つのメッセージを含む。
【００１７】
上記非競合ランダムアクセスプロセスは、主に、
ランダムアクセスプリアンブル（Ｒａｎｄｏｍ  Ａｃｃｅｓｓ  Ｐｒｅａｍｂｌｅ）を伝送するメッセージ、即ち、Ｍｓｇ１、及び
ランダムアクセス応答（Ｒａｎｄｏｍ  Ａｃｃｅｓｓ  Ｒｅｓｐｏｎｓｅ）を伝送するメッセージ、即ち、Ｍｓｇ２という２つのメッセージを含む。
【００１８】
具体的には、図１に示すように、上記競合ランダムアクセスプロセスは、主に、以下のステップ１０１〜１０４を含んでよい。
【００１９】
ステップ１０１では、端末装置は、基地局にランダムアクセスプリアンブルメッセージを送信する。
【００２０】
具体的には、上記ステップ１０１は、端末装置が基地局にＭｓｇ１を送信することである。上記端末装置は、ＵＥである。
【００２１】
ステップ１０２では、端末装置は、基地局から送信されたランダムアクセス応答メッセージを受信する。
【００２２】
具体的には、上記ステップ１０２は、端末装置が基地局から送信されたＭｓｇ２を受信することである。基地局は、ランダムアクセス要求Ｍｓｇ１を受信して、ＵＥにランダムアクセス応答を送信する。
【００２３】
ステップ１０３では、端末装置は、スケジューリング伝送メッセージを送信する。
【００２４】
具体的には、上記ステップ１０３は、端末装置が基地局にＭｓｇ３を送信することである。
【００２５】
ステップ１０４では、端末装置は、基地局から送信された競合解決メッセージを受信する。
【００２６】
具体的には、上記ステップ１０４は、端末装置が基地局から送信されたＭｓｇ４を受信することである。ＵＥは、Ｍｓｇ４に基づいて、ランダムアクセスが成功したか否かを判断する。
【００２７】
なお、競合ランダムアクセスプロセスにおいて、ＵＥが同様な物理ランダムアクセスチャネル（Ｐｈｙｓｉｃａｌ  Ｒａｎｄｏｍ  Ａｃｃｅｓｓ  Ｃｈａｎｎｅｌ、ＰＲＡＣＨ）リソースで同様なプリアンブル（即ち、Ｐｒｅａｍｂｌｅ）を送信するという問題があるため、Ｍｓｇ２を受信した後、ＵＥは、Ｍｓｇ２中に搬送されているアップリンクグラント（Ｕｐｌｉｎｋ  Ｇｒａｎｔ、ＵＬ  Ｇｒａｎｔ）に基づいてＭｓｇ３を再送信する必要もある。また、ＵＥは、Ｍｓｇ３にＵＥの識別子を搬送させ、Ｍｓｇ３を送信すると同時に競合解決タイマー（即ち、Ｔｉｍｅｒ）を起動する。競合解決タイマーがタイムアウトしていない前に、ＵＥが基地局から送信されたＭｓｇ４を受信すれば、ＵＥ競合解決が成功したことを示す。理解できるように、Ｍｓｇ４中にＵＥの識別子が搬送されているため、ＵＥは、Ｍｓｇ４中に搬送されているＵＥの識別子に基づいて、それ自身のＭｓｇ４であるか否かを判断することができる。
【００２８】
図２に示すように、上記非競合ランダムアクセスプロセスは、主に、以下のステップ２０１〜２０３を含んでよい。
【００２９】
ステップ２０１では、端末装置は、基地局から送信されたランダムアクセスプリアンブル割り当てメッセージを受信する。
【００３０】
具体的には、上記ステップ２０１は、端末装置が基地局から送信されたＭｓｇ０を受信することである。基地局は、ＵＥに非競合ランダムアクセスに用いられる専用プリアンブル（即ち、Ｐｒｅａｍｂｌｅ）及びランダムアクセスに用いられるＰＲＡＣＨリソースを割り当てることができる。
【００３１】
ステップ２０２では、端末装置は、基地局にランダムアクセスプリアンブルメッセージを送信する。
【００３２】
具体的には、上記ステップ２０２は、端末装置が基地局にＭｓｇ１を送信することである。
【００３３】
ステップ２０３では、端末装置は、基地局から送信されたランダムアクセス応答メッセージを受信する。
【００３４】
具体的には、上記ステップ２０３は、端末装置が基地局から送信されたＭｓｇ２を受信することである。
【００３５】
なお、競合ランダムアクセスと非競合ランダムアクセスにおけるＭｓｇ２は、いずれもランダムアクセス応答（ＲａｎｄｏｍＡｃｃｅｓｓＲｅｓｐｏｎｓｅ、ＲＡＲ）を送信するものである。ＵＥは、ＲＡＲウィンドウ内でランダムアクセス無線ネットワーク一時識別子（Ｒａｎｄｏｍ  Ａｃｃｅｓｓ−Ｒａｄｉｏ  Ｎｅｔｗｏｒｋ  Ｔｅｍｐｏｒａｒｙ  Ｉｄｅｎｔｉｔｙ、ＲＡ−ＲＮＴＩ）に対応するＲＡＲを傍受する。
【００３６】
本開示の実施例では、移動通信システムに高周波を導入する場合、それぞれが１つの方向をカバーする可能性があるマルチビーム（即ち、Ｂｅａｍ）を導入して情報を伝送することができる。初期アクセス（即ち、Ｉｎｉｔｉａｌ  Ａｃｃｅｓｓ）においてプリアンブル（即ち、Ｐｒｅａｍｂｌｅ）を送信する場合、ダウンリンク参照信号における品質の良いあるビームと関連関係（例えば、ビーム対称性関係）を有するアップリンクビームを送信ビームとして選択することができ、ＵＥがＲＡＲを傍受できるビームは、プリアンブル（即ち、Ｐｒｅａｍｂｌｅ）送信ビームと関連関係を有するダウンリンクビームであるか、又はダウンリンク参照信号受信ビームと疑似コロケーション（Ｑｕａｓｉ  Ｃｏ−Ｌｏｃａｔｉｏｎ、ＱＣＬ）関係を有するダウンリンクビームである。
【００３７】
例えば、切り替え又は再構成又はビーム失敗回復などのランダムアクセスプロセスにおいて、専用ＲＲＣメッセージにより、ＵＥに対して対応する制御リソースセット（Ｃｏｎｔｒｏｌ  Ｒｅｓｏｕｒｃｅ  Ｓｅｔ、ＣＯＲＥＳＥＴ）を設定することができ、ＣＯＲＥＳＥＴにおいて、ＵＥに対して対応するビーム、即ち、伝送設定指示（Ｔｒａｎｓｍｉｓｓｉｏｎ  ｃｏｎｆｉｇｕｒａｔｉｏｎ  Ｉｎｄｉｃａｔｏｒ、ＴＣＩ）を設定することができ、ＵＥは、ビームを選択してランダムアクセスプロセスにおけるメッセージを送受信することができ、例えば、プリアンブル（即ち、Ｐｒｅａｍｂｌｅ）を送信し、ＲＡＲを受信する。
【００３８】
本開示の実施例に係るランダムアクセス方法は、選択可能なビームのうちのターゲットビームを用いてランダムアクセスプロセスにおけるメッセージを伝送することにより、ビームに基づいてランダムアクセスプロセスにおけるメッセージを伝送することを実現し、ランダムアクセスプロセスにおけるメッセージを送受信するビームの選択を規範化することができる。
【００３９】
図３を参照すると、図３は、本開示の実施例が適用可能なネットワークの概略構成図であり、図３に示すように、端末装置１１及びネットワーク装置１２を含み、端末装置１１は、携帯電話、タブレットコンピュータ（Ｔａｂｌｅｔ  Ｐｅｒｓｏｎａｌ  Ｃｏｍｐｕｔｅｒ）、ラップトップパソコン（Ｌａｐｔｏｐ  Ｃｏｍｐｕｔｅｒ）、パーソナルデジタルアシスタント（Ｐｅｒｓｏｎａｌ  Ｄｉｇｉｔａｌ  Ａｓｓｉｓｔａｎｔ、ＰＤＡ）、モバイルインターネット装置（Ｍｏｂｉｌｅ  Ｉｎｔｅｒｎｅｔ  Ｄｅｖｉｃｅ、ＭＩＤ）又はウェアラブルデバイス（Ｗｅａｒａｂｌｅ  Ｄｅｖｉｃｅ）などの端末側装置であってよく、なお、本開示の実施例では、端末装置１１の具体的なタイプを限定しない。ネットワーク装置１２は、マクロステーション、ＬＴＥ  ｅＮＢ、５Ｇ  ＮＲ  ＮＢなどの基地局であってもよく、低電力ノード（Ｌｏｗ  Ｐｏｗｅｒ  Ｎｏｄｅ、ＬＰＮ）、ｐｉｃｏ、ｆｅｍｔｏなどのスモールステーションであってもよく、アクセスポイント（Ａｃｃｅｓｓ  Ｐｏｉｎｔ、ＡＰ）であってもよく、基地局は、中央ユニット（Ｃｅｎｔｒａｌ  Ｕｎｉｔ、ＣＵ）とその管理制御する複数の送受信ポイント（Ｔｒａｎｓｍｉｓｓｉｏｎ  Ｒｅｃｅｐｔｉｏｎ  Ｐｏｉｎｔ、ＴＲＰ）が共に構成したネットワークノードであってもよい。なお、本開示の実施例では、ネットワーク装置１２の具体的なタイプを限定しない。本開示の実施例に係るランダムアクセス方法は、上記端末装置１１によって実行されてもよく、ネットワーク装置１２によって実行されてもよい。
【００４０】
具体的には、一実施形態では、端末装置１１は、選択可能なビームのうちのターゲットビームを用いてランダムアクセスプロセスにおけるメッセージを伝送することができ、上記ランダムアクセスプロセスにおけるメッセージは、Ｍｓｇ１、Ｍｓｇ２、Ｍｓｇ３又はＭｓｇ４である。例えば、端末装置１１は、選択可能なビームのうちのターゲットビームを用いてネットワーク装置１２にＭｓｇ１を送信してもよく、選択可能なビームのうちのターゲットビームを用いてネットワーク装置１２から送信されたＭｓｇ２を受信してもよく、選択可能なビームのうちのターゲットビームを用いてネットワーク装置１２にＭｓｇ３を送信してもよく、選択可能なビームのうちのターゲットビームを用いてネットワーク装置１２から送信されたＭｓｇ４を受信してもよい。
【００４１】
別の実施形態では、ネットワーク装置１２は、選択可能なビームのうちのターゲットビームを用いてランダムアクセスプロセスにおけるメッセージを伝送することができ、上記ランダムアクセスプロセスにおけるメッセージは、Ｍｓｇ１、Ｍｓｇ２、Ｍｓｇ３又はＭｓｇ４である。例えば、ネットワーク装置１２は、選択可能なビームのうちのターゲットビームを用いて端末装置１１から送信されたＭｓｇ１を受信してもよく、選択可能なビームのうちのターゲットビームを用いて端末装置１１にＭｓｇ２を送信してもよく、選択可能なビームのうちのターゲットビームを用いて端末装置１１から送信されたＭｓｇ３を受信してもよく、選択可能なビームのうちのターゲットビームを用いて端末装置１１にＭｓｇ４を送信してもよい。
【００４２】
理解できるように、ランダムアクセスプロセスが競合ランダムアクセスプロセスである場合、上記メッセージはＭｓｇ１、Ｍｓｇ２、Ｍｓｇ３又はＭｓｇ４であってよく、ランダムアクセスプロセスが非競合ランダムアクセスプロセスである場合、上記メッセージはＭｓｇ１又はＭｓｇ２であってよい。上記選択可能なビームは、具体的に伝送されるメッセージに対応してよく、例えば、メッセージがＭｓｇ１である場合、上記選択可能なビームは、受信されたダウンリンク参照信号における品質が第１の閾値よりも優れるダウンリンクビームと関連関係を有するアップリンクビーム、専用無線リソース制御ＲＲＣメッセージ中に設定されたダウンリンクビームと関連関係を有するアップリンクビームなどのうちの少なくとも１つを含んでよく、メッセージがＭｓｇ２である場合、上記選択可能なビームは、Ｍｓｇ１を送信するアップリンクビームと関連関係を有するダウンリンクビーム、受信されたダウンリンク参照信号における品質が第１の閾値よりも優れるダウンリンクビームと疑似コロケーションＱＣＬ関係を有するダウンリンクビーム、受信されたダウンリンク参照信号における品質が第１の閾値よりも優れるダウンリンクビームと同じであるダウンリンクビーム、専用無線リソース制御ＲＲＣメッセージ中に設定されたダウンリンクビームなどのうちの少なくとも１つを含んでよい。
【００４３】
好ましくは、上記ターゲットビームは、選択可能なビームのうちのいずれかのビームであってもよく、選択可能なビームのうちの、利用可能で最も優先度の高いビームであってもよい。
【００４４】
本開示の実施例に係る端末装置１１又はネットワーク装置１２は、選択可能なビームのうちのターゲットビームを用いてランダムアクセスプロセスにおけるメッセージを伝送することにより、ビームに基づいてランダムアクセスプロセスにおけるメッセージを伝送することを実現し、ランダムアクセスプロセスにおけるメッセージを送受信するビームの選択を規範化することができる。
【００４５】
図４を参照すると、図４は、本開示の実施例に係るランダムアクセス方法のフローチャートであり、図４に示すように、以下のステップ４０１を含む。
【００４６】
ステップ４０１では、選択可能なビームのうちのターゲットビームを用いてランダムアクセスプロセスにおけるメッセージを伝送し、上記ランダムアクセスプロセスにおけるメッセージは、Ｍｓｇ１、Ｍｓｇ２、Ｍｓｇ３又はＭｓｇ４である。
【００４７】
本開示の実施例では、端末装置により上記ステップ４０１を実行する場合、上記ステップ４０１は、選択可能なビームのうちのターゲットビームを用いてネットワーク装置にＭｓｇ１を送信することであってもよく、選択可能なビームのうちのターゲットビームを用いてネットワーク装置から送信されたＭｓｇ２を受信することであってもよく、選択可能なビームのうちのターゲットビームを用いてネットワーク装置にＭｓｇ３を送信することであってもよく、選択可能なビームのうちのターゲットビームを用いてネットワーク装置から送信されたＭｓｇ４を受信することであってもよい。ネットワーク装置により上記ステップ４０１を実行する場合、上記ステップ４０１は、選択可能なビームのうちのターゲットビームを用いて端末装置から送信されたＭｓｇ１を受信することであってもよく、選択可能なビームのうちのターゲットビームを用いて端末装置にＭｓｇ２を送信することであってもよく、選択可能なビームのうちのターゲットビームを用いて端末装置から送信されたＭｓｇ３を受信することであってもよく、選択可能なビームのうちのターゲットビームを用いて端末装置にＭｓｇ４を送信することであってもよい。
【００４８】
好ましくは、上記選択可能なビームは、具体的に伝送されるメッセージに対応してよく、例えば、メッセージがＭｓｇ１である場合、上記選択可能なビームは、受信されたダウンリンク参照信号における品質が第１の閾値よりも優れるダウンリンクビームと関連関係を有するアップリンクビーム、専用無線リソース制御ＲＲＣメッセージ中に設定されたダウンリンクビームと関連関係を有するアップリンクビームなどのうちの少なくとも１つを含んでよく、メッセージがＭｓｇ２である場合、上記選択可能なビームは、Ｍｓｇ１を送信するアップリンクビームと関連関係を有するダウンリンクビーム、受信されたダウンリンク参照信号における品質が第１の閾値よりも優れるダウンリンクビームと疑似コロケーションＱＣＬ関係を有するダウンリンクビーム、受信されたダウンリンク参照信号における品質が第１の閾値よりも優れるダウンリンクビームと同じであるダウンリンクビーム、専用無線リソース制御ＲＲＣメッセージ中に設定されたダウンリンクビームなどのうちの少なくとも１つを含んでよい。
【００４９】
好ましくは、上記ターゲットビームは、選択可能なビームのうちのいずれかのビームであってもよく、選択可能なビームのうちの、利用可能で最も優先度の高いビームであってもよい。例えば、選択可能なビームが第１のビーム及び第２のビームを含む場合、ターゲットビームは、第１のビームであってもよく、第２のビームであってもよく、第１のビームの優先度が第２のビームよりも高い場合、第１のビームが利用可能であるとき、ターゲットビームは第１のビームであり、第１のビームが利用不可能であるとき、ターゲットビームは第２のビームである。なお、選択可能なビームが第１のビームのみを含む場合、ターゲットビームは第１のビームであってよく、選択可能なビームが第２のビームのみを含む場合、ターゲットビームは第２のビームであってよい。
【００５０】
本開示の実施例に係るランダムアクセス方法は、選択可能なビームのうちのターゲットビームを用いてランダムアクセスプロセスにおけるメッセージを伝送することにより、ビームに基づいてランダムアクセスプロセスにおけるメッセージを伝送することを実現し、ランダムアクセスプロセスにおけるメッセージを送受信するビームの選択を規範化することができる。
【００５１】
好ましくは、上記メッセージがＭｓｇ１である場合、上記選択可能なビームは、第１のビーム及び／又は第２のビームを含み、
上記第１のビームは、受信されたダウンリンク参照信号における品質が第１の閾値よりも優れるダウンリンクビームと関連関係を有するアップリンクビームであり、
上記第２のビームは、専用無線リソース制御ＲＲＣメッセージ中に設定されたダウンリンクビームと関連関係を有するアップリンクビームである。
【００５２】
本開示の実施例では、ランダムアクセスプロセスにおけるメッセージがＭｓｇ１である場合、上記選択可能なビームは、第１のビーム及び／又は第２のビームを含んでよい。上記第１の閾値は、実際の状況に応じて合理的に設定することができる。上記関連関係は、ビーム対称性関係を含んでよい。上記専用ＲＲＣメッセージは、具体的なランダムアクセス目的に対するＲＲＣメッセージであってよく、例えば、上記ランダムアクセス目的が切り替えである場合、上記専用ＲＲＣメッセージは、切り替えに対するＲＲＣメッセージであり、上記ランダムアクセス目的がビーム失敗回復である場合、上記専用ＲＲＣメッセージは、ビーム失敗回復に対するＲＲＣメッセージである。好ましくは、ネットワーク装置は、ＲＲＣメッセージ中にダウンリンクビームを設定することができる。
【００５３】
理解できるように、上記第１のビーム及び／又は第２のビームは、１つのビームを含んでもよく、少なくとも２つのビームを含んでもよい。
【００５４】
好ましくは、選択可能なビームが第１のビーム及び第２のビームを含む場合、上記ターゲットビームは、第１のビームであってもよく、第２のビームであってもよい。第１のビーム及び第２のビームに優先度が存在すれば、上記ターゲットビームは、第１のビーム及び第２のビームのうちの、利用可能で優先度の高いビームであってよい。例えば、第１のビームの優先度が第２のビームの優先度よりも高い場合、第１のビームが利用可能であれば、上記ターゲットビームは第１のビームであり、第１のビームが利用不可能であれば、上記ビームは第２のビームである。同様に、第２のビームの優先度が第１のビームの優先度よりも高い場合、第２のビームが利用可能であれば、上記ターゲットビームは第２のビームであり、第２のビームが利用不可能であれば、上記ビームは第１のビームである。上記ビームが利用可能であるとは、該ビームが存在することを意味してよい。
【００５５】
好ましくは、選択可能なビームが第１のビームのみを含む場合、上記ターゲットビームは第１のビームであり、選択可能なビームが第２のビームのみを含む場合、上記ターゲットビームは第２のビームである。
【００５６】
なお、第１のビームを用いて、即ち、受信されたダウンリンク参照信号における品質が第１の閾値よりも優れるダウンリンクビームと関連関係を有するアップリンクビームを用いて、Ｍｓｇ１を伝送する場合、信号の品質が良いため、Ｍｓｇ１の伝送効率及び伝送精度を向上させることができる。第２のビームを用いて、即ち、専用無線リソース制御ＲＲＣメッセージ中に設定されたダウンリンクビームと関連関係を有するアップリンクビームを用いて、Ｍｓｇ１を伝送する場合、ネットワーク装置は、全てのアップリンクビームを走査する必要がなく、専用無線リソース制御ＲＲＣメッセージ中に設定されたダウンリンクビームと関連関係を有するアップリンクビームを直接走査してＭｓｇ１を受信し、Ｍｓｇ１受信効率を向上させることができる。
【００５７】
本開示の実施例では、上記メッセージがＭｓｇ１である場合、上記選択可能なビームは、第１のビーム及び／又は第２のビームを含み、かつ選択可能なビームのうちのターゲットビームを用いてＭｓｇ１を伝送し、ランダムアクセスプロセスにおけるＭｓｇ１を伝送するビームの選択を規範化することができる。
【００５８】
好ましくは、上記メッセージがＭｓｇ２である場合、上記選択可能なビームは、第３のビーム、第４のビーム、第５のビーム及び第６のビームのうちの少なくとも１つを含み、
上記第３のビームは、Ｍｓｇ１を送信するアップリンクビームと関連関係を有するダウンリンクビームであり、
上記第４のビームは、受信されたダウンリンク参照信号における品質が第１の閾値よりも優れるダウンリンクビームと疑似コロケーションＱＣＬ関係を有するダウンリンクビームであり、
上記第５のビームは、受信されたダウンリンク参照信号における品質が第１の閾値よりも優れるダウンリンクビームと同じであるダウンリンクビームであり、
上記第６のビームは、専用無線リソース制御ＲＲＣメッセージ中に設定されたダウンリンクビームである。
【００５９】
本開示の実施例では、ランダムアクセスプロセスにおけるメッセージがＭｓｇ２である場合、上記選択可能なビームは、第３のビーム、第４のビーム、第５のビーム及び第６のビームのうちの少なくとも１つを含んでよい。
【００６０】
同様に、上記選択可能なビームのうちの各ビーム（即ち、第３のビーム、第４のビーム、第５のビーム又は第６のビーム）は、いずれも１つ又は少なくとも２つのビームを含んでよい。
【００６１】
好ましくは、選択可能なビームが第３のビーム、第４のビーム、第５のビーム及び第６のビームのうちの少なくとも２つを含む場合、上記ターゲットビームは、選択可能なビームのうちのいずれかのビームであってよい。選択可能なビームのうちのビームに優先度が存在すれば、上記ターゲットビームは、選択可能なビームのうちの、利用可能で最も優先度の高いビームであってよい。
【００６２】
例えば、選択可能なビームは、第３のビーム、第４のビーム、第５のビーム及び第６のビームを含み、第４のビームの優先度が最も高く、かつ第３のビーム、第５のビーム及び第６のビームの優先度が順次下降する場合、第４のビームが利用可能であるとき、上記ターゲットビームは第４のビームであり、第４のビームが利用不可能であるとき、第３のビームが利用可能であれば、上記ターゲットビームは第３のビームであり、第３のビームも利用不可能であるとき、第５のビームを継続して検出し、これによって類推する。第４のビームの優先度が最も高く、かつ第３のビーム、第５のビーム及び第６のビームの優先度が同じである場合、第４のビームが利用可能であるとき、上記ターゲットビームは第４のビームであり、第４のビームが利用不可能であるとき、上記ターゲットビームは第３のビームであってもよく、第５のビームであってもよく、第６のビームであってもよい。
【００６３】
なお、上記ビームが利用可能であるとは、該ビームが存在することを意味してよい。
【００６４】
好ましくは、選択可能なビームが第３のビーム、第４のビーム、第５のビーム及び第６のビームのうちの１つのみを含む場合、上記ターゲットビームは、選択可能なビームにのみ含まれるビームである。例えば、選択可能なビームが第３のビームのみを含む場合、上記ターゲットビームは第３のビームであり、選択可能なビームが第４のビームのみを含む場合、上記ターゲットビームは第４のビームであり、選択可能なビームが第５のビームのみを含む場合、上記ターゲットビームは第５のビームであり、選択可能なビームが第６のビームのみを含む場合、上記ターゲットビームは第６のビームである。
【００６５】
なお、第４ビーム又は第５ビームを用いてＭｓｇ２を伝送する場合、信号の品質が良いため、Ｍｓｇ２の伝送効率及び伝送精度を向上させることができる。
【００６６】
本開示の実施例では、上記メッセージがＭｓｇ２である場合、上記選択可能なビームは、第３のビーム、第４のビーム、第５のビーム及び第６のビームのうちの少なくとも１つを含み、かつ選択可能なビームのうちのターゲットビームを用いてＭｓｇ２を伝送し、ランダムアクセスプロセスにおけるＭｓｇ２を伝送するビームの選択を規範化することができる。
【００６７】
好ましくは、上記第６のビームが、利用可能であり、かつＭｓｇ１を送信するアップリンクビームと関連関係を有する場合、或いは、上記第６のビームが、利用可能であり、かつ受信されたダウンリンク参照信号における品質が第１の閾値よりも優れるダウンリンクビームとＱＣＬ関係を有する場合、或いは、上記第６のビームが、利用可能であり、かつ受信されたダウンリンク参照信号における品質が第１の閾値よりも優れるダウンリンクビームと同じである場合、上記ターゲットビームは、上記第６のビームであり、そうでなければ、第３のビーム、第４のビーム又は第５のビームである。
【００６８】
本開示の実施例では、上記第６のビームが利用可能であるとは、専用ＲＲＣメッセージ中にアップリンクビームが設定されていることを意味してよい。
【００６９】
具体的には、第６のビームが、利用可能であり、かつＭｓｇ１を送信するアップリンクビームと関連関係を有する場合、上記ターゲットビームは上記第６のビームであり、或いは、第６のビームが、利用可能であり、かつ受信されたダウンリンク参照信号における品質が第１の閾値よりも優れるダウンリンクビームとＱＣＬ関係を有する場合、上記ターゲットビームは上記第６のビームであり、或いは、第６のビームが、利用可能であり、かつ受信されたダウンリンク参照信号における品質が第１の閾値よりも優れるダウンリンクビームと同じである場合、上記ターゲットビームは、上記第６のビームであり、そうでなければ、上記ターゲットビームは、第３のビーム、第４のビーム又は第５のビームである。
【００７０】
例えば、第６のビームが利用不可能である場合、上記ターゲットビームは、第３のビーム、第４のビーム又は第５のビームであってよく、或いは、第６のビームが、利用可能であり、かつＭｓｇ１を送信するアップリンクビームと関連関係を有していない場合、上記ターゲットビームは、第３のビーム、第４のビーム又は第５のビームであってよく、或いは、第６のビームが、利用可能であり、かつ受信されたダウンリンク参照信号における品質が第１の閾値よりも優れるダウンリンクビームとＱＣＬ関係を有していない場合、上記ターゲットビームは、第３のビーム、第４のビーム又は第５のビームであってよく、或いは、第６のビームが、利用可能であり、かつ受信されたダウンリンク参照信号における品質が第１の閾値よりも優れるダウンリンクビームと同じでない場合、上記ターゲットビームは、第３のビーム、第４のビーム又は第５のビームであってよい。
【００７１】
好ましくは、上記メッセージがＭｓｇ３である場合、上記選択可能なビームは、第７のビーム、第８のビーム、第９のビーム、第１０のビーム、第１１のビーム及び第１２のビームのうちの少なくとも１つを含み、
上記第７のビームは、Ｍｓｇ１を送信するアップリンクビームと同じであるアップリンクビームであり、
上記第８のビームは、Ｍｓｇ１を送信するアップリンクビームと疑似コロケーションＱＣＬ関係を有するアップリンクビームであり、
上記第９のビームは、Ｍｓｇ２中で指示されたアップリンクビームであり、
上記第１０のビームは、専用無線リソース制御ＲＲＣメッセージ中に設定されたダウンリンクビームと関連関係を有するアップリンクビームであり、
上記第１１のビームは、専用無線リソース制御ＲＲＣメッセージ中に設定されたアップリンクビームであり、
上記第１２のビームは、Ｍｓｇ２を受信するダウンリンクビームと関連関係を有するアップリンクビームである。
【００７２】
本開示の実施例では、ネットワーク装置は、Ｍｓｇ２により端末装置に対してアップリンクビームを指示することができ、ＲＲＣメッセージにより端末装置に対してビームを設定することもでき、例えば、ＲＲＣメッセージにより端末装置に対してアップリンクビーム及び／又はダウンリンクビームを設定することができる。
【００７３】
具体的には、ランダムアクセスプロセスにおけるメッセージがＭｓｇ３である場合、上記選択可能なビームは、第７のビーム、第８のビーム、第９のビーム、第１０のビーム、第１１のビーム及び第１２のビームのうちの少なくとも１つを含む。
【００７４】
同様に、上記選択可能なビームのうちの各ビーム（即ち、第７のビーム、第８のビーム、第９のビーム、第１０のビーム、第１１のビーム又は第１２のビーム）は、いずれも１つ又は少なくとも２つのビームを含んでよい。
【００７５】
好ましくは、選択可能なビームが第７のビーム、第８のビーム、第９のビーム、第１０のビーム、第１１のビーム及び第１２のビームのうちの少なくとも２つを含む場合、上記ターゲットビームは、選択可能なビームのうちのいずれかのビームであってよい。選択可能なビームのうちのビームに優先度が存在すれば、上記ターゲットビームは、選択可能なビームのうちの、利用可能で最も優先度の高いビームであってよい。
【００７６】
例えば、選択可能なビームは、第７のビーム、第８のビーム、第９のビーム、第１０のビーム、第１１のビーム及び第１２のビームを含み、かつ第７のビーム、第８のビーム、第９のビーム、第１０のビーム、第１１のビーム及び第１２のビームの優先度が順次上昇する場合、第１２のビームが利用可能であるとき、上記ターゲットビームは第１２のビームであり、第１２のビームが利用不可能であるとき、第１１のビームが利用可能であれば、上記ターゲットビームは、第１１のビームであり、そうでなければ、第１０のビームを継続して検出し、これによって類推する。
【００７７】
理解できるように、選択可能なビームのうちの、利用可能で最も優先度の高いビームが少なくとも２つある場合、上記ターゲットビームは、少なくとも２つのビームのうちのいずれかのビームであってよい。
【００７８】
好ましくは、選択可能なビームが第７のビーム、第８のビーム、第９のビーム、第１０のビーム、第１１のビーム及び第１２のビームのうちの１つのみを含む場合、上記ターゲットビームは、選択可能なビームにのみ含まれるビームである。例えば、選択可能なビームが第７のビームのみを含む場合、上記ターゲットビームは第７のビームであり、選択可能なビームが第８のビームのみを含む場合、上記ターゲットビームは第８のビームである。
【００７９】
なお、第９のビーム、第１０のビーム又は第１１のビームを用いてＭｓｇ３を伝送する場合、ネットワーク装置は、全てのアップリンクビームを走査する必要がなく、Ｍｓｇ２中で指示されたアップリンクビームを直接走査するか、専用無線リソース制御ＲＲＣメッセージ中に設定されたダウンリンクビームと関連関係を有するアップリンクビームを直接走査するか、又は専用無線リソース制御ＲＲＣメッセージ中に設定されたアップリンクビームを直接走査して、Ｍｓｇ３を受信し、Ｍｓｇ３受信効率を向上させることができる。
【００８０】
本開示の実施例では、上記メッセージがＭｓｇ３である場合、上記選択可能なビームは、第７のビーム、第８のビーム、第９のビーム、第１０のビーム、第１１のビーム及び第１２のビームのうちの少なくとも１つを含み、かつ選択可能なビームのうちのターゲットビームを用いてＭｓｇ３を伝送し、ランダムアクセスプロセスにおけるＭｓｇ３を伝送するビームの選択を規範化することができる。
【００８１】
好ましくは、上記メッセージがＭｓｇ４である場合、上記選択可能なビームは、第３のビーム、第４のビーム、第５のビーム、第６のビーム、第１３のビーム、第１４のビーム、第１５のビーム、第１６のビーム及び第１７のビームのうちの少なくとも１つを含み、
上記第３のビームは、Ｍｓｇ１を送信するアップリンクビームと関連関係を有するダウンリンクビームであり、
上記第４のビームは、受信されたダウンリンク参照信号における品質が第１の閾値よりも優れるダウンリンクビームと疑似コロケーションＱＣＬ関係を有するダウンリンクビームであり、
上記第５のビームは、受信されたダウンリンク参照信号における品質が第１の閾値よりも優れるダウンリンクビームと同じであるダウンリンクビームであり、
上記第６のビームは、専用無線リソース制御ＲＲＣメッセージ中に設定されたダウンリンクビームであり、
上記第１３のビームは、Ｍｓｇ２中で指示されたダウンリンクビームであり、
上記第１４のビームは、Ｍｓｇ２を受信するダウンリンクビームであり、
上記第１５のビームは、Ｍｓｇ２を受信するダウンリンクビームと疑似コロケーションＱＣＬ関係を有するダウンリンクビームであり、
上記第１６のビームは、Ｍｓｇ３を送信するアップリンクビームと関連関係を有するダウンリンクビームであり、
上記第１７のビームは、専用無線リソース制御ＲＲＣメッセージ中に設定されたアップリンクビームと関連関係を有するダウンリンクビームである。
【００８２】
本開示の実施例では、ネットワーク装置は、Ｍｓｇ２により端末装置に対してダウンリンクビームを指示することができ、Ｍｓｇ２は、アップリンクビーム及び／又はダウンリンクビームを明示的又は暗示的に指示することができる。ネットワーク装置は、ＲＲＣメッセージにより端末装置にビームを設定することもでき、例えば、ネットワーク装置は、ＲＲＣメッセージにより端末装置にアップリンクビーム及び／又はダウンリンクビームを設定することができる。
【００８３】
具体的には、ランダムアクセスプロセスにおけるメッセージがＭｓｇ４である場合、上記選択可能なビームは、第３のビーム、第４のビーム、第５のビーム、第６のビーム、第１３のビーム、第１４のビーム、第１５のビーム、第１６のビーム及び第１７のビームのうちの少なくとも１つを含んでよい。
【００８４】
同様に、上記選択可能なビームのうちの各ビーム（即ち、第３のビーム、第４のビーム、第５のビーム、第６のビーム、第１３のビーム、第１４のビーム、第１５のビーム、第１６のビーム及び第１７のビーム）は、いずれも１つ又は少なくとも２つのビームを含んでよい。
【００８５】
好ましくは、選択可能なビームが第３のビーム、第４のビーム、第５のビーム、第６のビーム、第１３のビーム、第１４のビーム、第１５のビーム、第１６のビーム及び第１７のビームのうちの少なくとも２つを含む場合、上記ターゲットビームは、選択可能なビームのうちのいずれかのビームであってよい。選択可能なビームのうちのビームに優先度が存在すれば、上記ターゲットビームは、選択可能なビームのうちの、利用可能で最も優先度の高いビームであってよい。
【００８６】
例えば、選択可能なビームは、第３のビーム、第４のビーム、第５のビーム、第６のビーム、第１３のビーム、第１４のビーム、第１５のビーム、第１６のビーム及び第１７のビームを含み、かつ第３のビーム、第４のビーム、第５のビーム、第６のビーム、第１３のビーム、第１４のビーム、第１５のビーム、第１６のビーム及び第１７のビームの優先度が順次下降する場合、第３のビームが利用可能であるとき、上記ターゲットビームは第３のビームであり、第３のビームが利用不可能であるとき、第４のビームが利用可能であれば、上記ターゲットビームは第４のビームであり、そうでなければ、第５のビームを継続して検出し、これによって類推する。
【００８７】
理解できるように、選択可能なビームのうちの、利用可能で最も優先度の高いビームが少なくとも２つある場合、上記ターゲットビームは、少なくとも２つのビームのうちのいずれかのビームであってよい。
【００８８】
好ましくは、選択可能なビームが第３のビーム、第４のビーム、第５のビーム、第６のビーム、第１３のビーム、第１４のビーム、第１５のビーム、第１６のビーム及び第１７のビームのうちの１つのみを含む場合、上記ターゲットビームは、選択可能なビームにのみ含まれるビームである。例えば、選択可能なビームが第３のビームのみを含む場合、上記ターゲットビームは第３のビームであり、選択可能なビームが第４のビームのみを含む場合、上記ターゲットビームは第４のビームである。
【００８９】
本開示の実施例では、上記メッセージがＭｓｇ４である場合、上記選択可能なビームは、第３のビーム、第４のビーム、第５のビーム、第６のビーム、第１３のビーム、第１４のビーム、第１５のビーム、第１６のビーム及び第１７のビームのうちの少なくとも１つを含み、かつ選択可能なビームのうちのターゲットビームを用いてＭｓｇ４を伝送し、ランダムアクセスプロセスにおけるＭｓｇ４を伝送するビームの選択を規範化することができる。
【００９０】
好ましくは、上記第６のビームが、利用可能であり、かつＭｓｇ１を送信するアップリンクビームと関連関係を有する場合、或いは、上記第６のビームが、利用可能であり、かつ受信されたダウンリンク参照信号における品質が第１の閾値よりも優れるダウンリンクビームとＱＣＬ関係を有する場合、或いは、上記第６のビームが、利用可能であり、かつ受信されたダウンリンク参照信号における品質が第１の閾値よりも優れるダウンリンクビームと同じである場合、上記ターゲットビームは、上記第６のビームであり、そうでなければ、上記第３のビーム、上記第４のビーム、上記第５のビーム、上記第１３のビーム、上記第１４のビーム、上記第１５のビーム、上記第１６のビーム又は上記第１７のビームである。
【００９１】
本開示の実施例では、上記第６のビームが利用可能であるとは、専用ＲＲＣメッセージ中にアップリンクビームが設定されていることを意味してよい。
【００９２】
具体的には、第６のビームが、利用可能であり、かつＭｓｇ１を送信するアップリンクビームと関連関係を有する場合、上記ターゲットビームは上記第６のビームであり、或いは、第６のビームが、利用可能であり、かつ受信されたダウンリンク参照信号における品質が第１の閾値よりも優れるダウンリンクビームとＱＣＬ関係を有する場合、上記ターゲットビームは上記第６のビームであり、或いは、第６のビームが、利用可能であり、かつ受信されたダウンリンク参照信号における品質が第１の閾値よりも優れるダウンリンクビームと同じである場合、上記ターゲットビームは、上記第６のビームであり、そうでなければ、上記ターゲットビームは、上記第３のビーム、上記第４のビーム、上記第５のビーム、上記第１３のビーム、上記第１４のビーム、上記第１５のビーム、上記第１６のビーム又は上記第１７のビームである。
【００９３】
例えば、第６のビームが利用不可能である場合、或いは、第６のビームが、利用可能であり、かつＭｓｇ１を送信するアップリンクビームと関連関係を有していない場合、或いは、第６のビームが、利用可能であり、かつ受信されたダウンリンク参照信号における品質が第１の閾値よりも優れるダウンリンクビームとＱＣＬ関係を有していない場合、或いは、第６のビームが、利用可能であり、かつ受信されたダウンリンク参照信号における品質が第１の閾値よりも優れるダウンリンクビームと同じでない場合、上記ターゲットビームは、上記第３のビーム、上記第４のビーム、上記第５のビーム、上記第１３のビーム、上記第１４のビーム、上記第１５のビーム、上記第１６のビーム又は上記第１７のビームである。
【００９４】
好ましくは、上記ターゲットビームは、上記選択可能なビームのうちの、利用可能で最も優先度の高いビームである。
【００９５】
理解を容易にするために、以下、例を参照しながら本開示の実施例を説明する。
【００９６】
例ａでは、選択可能なビームが第１のビームのみを含む場合、第１のビームが利用可能であれば、上記ターゲットビームは第１のビームであり、第１のビームが利用不可能であれば、終了することができる。
【００９７】
例ｂでは、選択可能なビームが第１のビーム及び第２のビームを含む場合、第１のビームの優先度が第２のビームの優先度よりも高いとき、第１のビームが利用可能であれば、上記ターゲットビームは第１のビームであり、第１のビームが利用不可能であれば、上記ビームは第２のビームである。同様に、第２のビームの優先度が第１のビームの優先度よりも高い場合、第２のビームが利用可能であれば、上記ターゲットビームは第２のビームであり、第２のビームが利用不可能であれば、上記ターゲットビームは第１のビームである。
【００９８】
例ｃでは、選択可能なビームが第３のビーム、第４のビーム、第５のビーム及び第６のビームを含む場合、第３のビーム、第４のビーム、第５のビーム及び第６のビームの優先度が順次上昇する場合、第３のビームが利用可能であれば、上記ターゲットビームは第３のビームであり、第３のビームが利用不可能であるとき、第４のビームが利用可能であれば、上記ターゲットビームは第４のビームであり、そうでなければ、第５のビームを継続して検出し、これによって類推する。
【００９９】
本開示の実施例では、ターゲットビームは、選択可能なビームのうちの、利用可能で最も優先度の高いビームであり、ランダムアクセスプロセスにおけるメッセージ伝送の成功率を向上させることができる。
【０１００】
好ましくは、上記選択可能なビームは、ネットワーク装置がＭｓｇ２により端末装置に対して指示したビームによって決定されるビームを含む。
【０１０１】
本開示の実施例では、上記ネットワーク装置がＭｓｇ２により端末装置に対して指示したビームは、アップリンクビーム及び／又はダウンリンクビームを含んでよい。具体的には、ネットワーク装置がＭｓｇ２により端末装置に対してアップリンクビーム及び／又はダウンリンクビームを指示して、端末装置がＭｓｇ２で指示されたアップリンクビーム及び／又はダウンリンクビームに基づいてメッセージを伝送することができる。
【０１０２】
好ましくは、Ｍｓｇ２は、アップリンクビーム及び／又はダウンリンクビームを明示的又は暗示的に指示することができる。
【０１０３】
理解できるように、端末装置がＭｓｇ２で指示されたアップリンクビームを用いてメッセージを伝送する場合、ネットワーク装置は、全てのアップリンクビームを走査する必要がなく、Ｍｓｇ２で指示されたアップリンクビームを直接走査して端末装置から伝送されたメッセージを受信し、メッセージの受信効率を向上させることができる。
【０１０４】
好ましくは、上記選択可能なビームは、ネットワーク装置が専用無線リソース制御ＲＲＣメッセージにより端末装置に対して設定したビームによって決定されるビームを含む。
【０１０５】
本開示の実施例では、上記ネットワーク装置がＲＲＣメッセージにより端末装置に対して設定したビームによって決定されるビームは、ネットワーク装置がＲＲＣメッセージにより端末装置に対して設定したビーム、及びネットワーク装置がＲＲＣメッセージにより端末装置に対して設定したビームと関連関係を有するビームのうちの少なくとも１つを含んでよい。
【０１０６】
本開示の実施例では、ネットワーク装置は、ＲＲＣメッセージにより端末装置に対してビームを設定することができ、例えば、ＲＲＣメッセージにより端末装置に対してビーム（例えば、アップリンクビーム及び／又はダウンリンクビーム）を設定することにより、端末装置は、ＲＲＣメッセージ中に設定されたビームに基づいてメッセージを伝送するか、又はＲＲＣメッセージ中に設定されたビームと関連関係を有するビームに基づいてメッセージを伝送することができる。
【０１０７】
理解できるように、端末装置が、ネットワーク装置がＲＲＣメッセージにより端末装置に対して設定したビームによって決定されるアップリンクビームを用いてメッセージを伝送する場合、ネットワーク装置は、全てのアップリンクビームを走査する必要がなく、ＲＲＣメッセージ中に設定されたビームによって決定されるアップリンクビームを直接走査して端末装置から伝送されたメッセージを受信し、メッセージの受信効率を向上させることができる。
【０１０８】
図５を参照すると、図５は、本開示の実施例に係る通信装置の構成図である。図５に示すように、通信装置５００は、
選択可能なビームのうちのターゲットビームを用いてランダムアクセスプロセスにおけるメッセージを伝送する伝送モジュール５０１を含み、
上記ランダムアクセスプロセスにおけるメッセージは、Ｍｓｇ１、Ｍｓｇ２、Ｍｓｇ３又はＭｓｇ４である。
【０１０９】
本開示の実施例では、上記通信装置５００は、端末装置であってもよく、ネットワーク装置であってもよい。
【０１１０】
好ましくは、上記メッセージがＭｓｇ１である場合、上記選択可能なビームは、第１のビーム及び／又は第２のビームを含み、
上記第１のビームは、受信されたダウンリンク参照信号における品質が第１の閾値よりも優れるダウンリンクビームと関連関係を有するアップリンクビームであり、
上記第２のビームは、専用無線リソース制御ＲＲＣメッセージ中に設定されたダウンリンクビームと関連関係を有するアップリンクビームである。
【０１１１】
好ましくは、上記メッセージがＭｓｇ２である場合、上記選択可能なビームは、第３のビーム、第４のビーム、第５のビーム及び第６のビームのうちの少なくとも１つを含み、
上記第３のビームは、Ｍｓｇ１を送信するアップリンクビームと関連関係を有するダウンリンクビームであり、
上記第４のビームは、受信されたダウンリンク参照信号における品質が第１の閾値よりも優れるダウンリンクビームと疑似コロケーションＱＣＬ関係を有するダウンリンクビームであり、
上記第５のビームは、受信されたダウンリンク参照信号における品質が第１の閾値よりも優れるダウンリンクビームと同じであるダウンリンクビームであり、
上記第６のビームは、専用無線リソース制御ＲＲＣメッセージ中に設定されたダウンリンクビームである。
【０１１２】
好ましくは、上記第６のビームが、利用可能であり、かつＭｓｇ１を送信するアップリンクビームと関連関係を有する場合、或いは、上記第６のビームが、利用可能であり、かつ受信されたダウンリンク参照信号における品質が第１の閾値よりも優れるダウンリンクビームとＱＣＬ関係を有する場合、或いは、上記第６のビームが、利用可能であり、かつ受信されたダウンリンク参照信号における品質が第１の閾値よりも優れるダウンリンクビームと同じである場合、上記ターゲットビームは、上記第６のビームであり、そうでなければ、第３のビーム、第４のビーム又は第５のビームである。
【０１１３】
好ましくは、上記メッセージがＭｓｇ３である場合、上記選択可能なビームは、第７のビーム、第８のビーム、第９のビーム、第１０のビーム、第１１のビーム及び第１２のビームのうちの少なくとも１つを含み、
上記第７のビームは、Ｍｓｇ１を送信するアップリンクビームと同じであるアップリンクビームであり、
上記第８のビームは、Ｍｓｇ１を送信するアップリンクビームと疑似コロケーションＱＣＬ関係を有するアップリンクビームであり、
上記第９のビームは、Ｍｓｇ２中で指示されたアップリンクビームであり、
上記第１０のビームは、専用無線リソース制御ＲＲＣメッセージ中に設定されたダウンリンクビームと関連関係を有するアップリンクビームであり、
上記第１１のビームは、専用無線リソース制御ＲＲＣメッセージ中に設定されたアップリンクビームであり、
上記第１２のビームは、Ｍｓｇ２を受信するダウンリンクビームと関連関係を有するアップリンクビームである。
【０１１４】
好ましくは、上記メッセージがＭｓｇ４である場合、上記選択可能なビームは、第３のビーム、第４のビーム、第５のビーム、第６のビーム、第１３のビーム、第１４のビーム、第１５のビーム、第１６のビーム及び第１７のビームのうちの少なくとも１つを含み、
上記第３のビームは、Ｍｓｇ１を送信するアップリンクビームと関連関係を有するダウンリンクビームであり、
上記第４のビームは、受信されたダウンリンク参照信号における品質が第１の閾値よりも優れるダウンリンクビームと疑似コロケーションＱＣＬ関係を有するダウンリンクビームであり、
上記第５のビームは、受信されたダウンリンク参照信号における品質が第１の閾値よりも優れるダウンリンクビームと同じであるダウンリンクビームであり、
上記第６のビームは、専用無線リソース制御ＲＲＣメッセージ中に設定されたダウンリンクビームであり、
上記第１３のビームは、Ｍｓｇ２中で指示されたダウンリンクビームであり、
上記第１４のビームは、Ｍｓｇ２を受信するダウンリンクビームであり、
上記第１５のビームは、Ｍｓｇ２を受信するダウンリンクビームと疑似コロケーションＱＣＬ関係を有するダウンリンクビームであり、
上記第１６のビームは、Ｍｓｇ３を送信するアップリンクビームと関連関係を有するダウンリンクビームであり、
上記第１７のビームは専用無線リソース制御ＲＲＣメッセージに配置されたアップリンクビームと関連関係を有するダウンリンクビームである。
【０１１５】
好ましくは、上記第６のビームが、利用可能であり、かつＭｓｇ１を送信するアップリンクビームと関連関係を有する場合、或いは、上記第６のビームが、利用可能であり、かつ受信されたダウンリンク参照信号における品質が第１の閾値よりも優れるダウンリンクビームとＱＣＬ関係を有する場合、或いは、上記第６のビームが、利用可能であり、かつ受信されたダウンリンク参照信号における品質が第１の閾値よりも優れるダウンリンクビームと同じである場合、上記ターゲットビームは、上記第６のビームであり、そうでなければ、上記第３のビーム、上記第４のビーム、上記第５のビーム、上記第１３のビーム、上記第１４のビーム、上記第１５のビーム、上記第１６のビーム又は上記第１７のビームである。
【０１１６】
好ましくは、上記ターゲットビームは、上記選択可能なビームのうちの、利用可能で最も優先度の高いビームである。
【０１１７】
好ましくは、上記選択可能なビームは、ネットワーク装置がＭｓｇ２により端末装置に対して指示したビームを含む。
【０１１８】
好ましくは、上記選択可能なビームは、ネットワーク装置が専用無線リソース制御ＲＲＣメッセージにより端末装置に対して設定したビームによって決定されるビームを含む。
【０１１９】
本開示の実施例に係る通信装置５００は、図４の方法の実施例における通信装置によって実現される各プロセスを実現することができ、重複を避けるために、ここでは説明を省略する。
【０１２０】
本開示の実施例に係る通信装置５００は、選択可能なビームのうちのターゲットビームを用いて、Ｍｓｇ１、Ｍｓｇ２、Ｍｓｇ３又はＭｓｇ４であるランダムアクセスプロセスにおけるメッセージを伝送する伝送モジュール５０１を含み、ビームに基づいてランダムアクセスプロセスにおけるメッセージを伝送することを実現し、ランダムアクセスプロセスにおけるメッセージを送受信するビームの選択を規範化することができる。
【０１２１】
図６は、本開示の実施例に係る端末装置の構成図である。図６を参照すると、該端末装置６００は、無線周波数ユニット６０１、ネットワークモジュール６０２、オーディオ出力ユニット６０３、入力ユニット６０４、センサ６０５、表示ユニット６０６、ユーザ入力ユニット６０７、インタフェースユニット６０８、メモリ６０９、プロセッサ６１０及び電源６１１などの部品を含むが、これらに限定されない。当業者が理解できるように、図６に示す端末装置の構造は、端末装置を限定するものではなく、端末装置は、図示より多いか又は少ない部品を含んでもよく、ある部品と組み合わせたり、異なる部品を配置したりしてもよい。本開示の実施例では、端末装置は、携帯電話、タブレットコンピュータ、ノートパソコン、パームトップコンピュータ、車載端末、ウェアラブルデバイス及び歩数計などを含むが、これらに限定されない。
【０１２２】
無線周波数ユニット６０１は、選択可能なビームのうちのターゲットビームを用いてランダムアクセスプロセスにおけるメッセージを伝送し、上記ランダムアクセスプロセスにおけるメッセージは、Ｍｓｇ１、Ｍｓｇ２、Ｍｓｇ３又はＭｓｇ４である。
【０１２３】
本開示の実施例は、選択可能なビームのうちのターゲットビームを用いてランダムアクセスプロセスにおけるメッセージを伝送することにより、ビームに基づいてランダムアクセスプロセスにおけるメッセージを伝送することを実現し、ランダムアクセスプロセスにおけるメッセージを送受信するビームの選択を規範化することができる。
【０１２４】
好ましくは、上記メッセージがＭｓｇ１である場合、上記選択可能なビームは、第１のビーム及び／又は第２のビームを含み、
上記第１のビームは、受信されたダウンリンク参照信号における品質が第１の閾値よりも優れるダウンリンクビームと関連関係を有するアップリンクビームであり、
上記第２のビームは、専用無線リソース制御ＲＲＣメッセージ中に設定されたダウンリンクビームと関連関係を有するアップリンクビームである。
【０１２５】
好ましくは、上記メッセージがＭｓｇ２である場合、上記選択可能なビームは、第３のビーム、第４のビーム、第５のビーム及び第６のビームのうちの少なくとも１つを含み、
上記第３のビームは、Ｍｓｇ１を送信するアップリンクビームと関連関係を有するダウンリンクビームであり、
上記第４のビームは、受信されたダウンリンク参照信号における品質が第１の閾値よりも優れるダウンリンクビームと疑似コロケーションＱＣＬ関係を有するダウンリンクビームであり、
上記第５のビームは、受信されたダウンリンク参照信号における品質が第１の閾値よりも優れるダウンリンクビームと同じであるダウンリンクビームであり、
上記第６のビームは、専用無線リソース制御ＲＲＣメッセージ中に設定されたダウンリンクビームである。
【０１２６】
好ましくは、上記第６のビームが、利用可能であり、かつＭｓｇ１を送信するアップリンクビームと関連関係を有する場合、或いは、上記第６のビームが、利用可能であり、かつ受信されたダウンリンク参照信号における品質が第１の閾値よりも優れるダウンリンクビームとＱＣＬ関係を有する場合、或いは、上記第６のビームが、利用可能であり、かつ受信されたダウンリンク参照信号における品質が第１の閾値よりも優れるダウンリンクビームと同じである場合、上記ターゲットビームは、上記第６のビームであり、そうでなければ、第３のビーム、第４のビーム又は第５のビームである。
【０１２７】
好ましくは、上記メッセージがＭｓｇ３である場合、上記選択可能なビームは、第７のビーム、第８のビーム、第９のビーム、第１０のビーム、第１１のビーム及び第１２のビームのうちの少なくとも１つを含み、
上記第７のビームは、Ｍｓｇ１を送信するアップリンクビームと同じであるアップリンクビームであり、
上記第８のビームは、Ｍｓｇ１を送信するアップリンクビームと疑似コロケーションＱＣＬ関係を有するアップリンクビームであり、
上記第９のビームは、Ｍｓｇ２中で指示されたアップリンクビームであり、
上記第１０のビームは、専用無線リソース制御ＲＲＣメッセージ中に設定されたダウンリンクビームと関連関係を有するアップリンクビームであり、
上記第１１のビームは、専用無線リソース制御ＲＲＣメッセージ中に設定されたアップリンクビームであり、
上記第１２のビームは、Ｍｓｇ２を受信するダウンリンクビームと関連関係を有するアップリンクビームである。
【０１２８】
好ましくは、上記メッセージがＭｓｇ４である場合、上記選択可能なビームは、第３のビーム、第４のビーム、第５のビーム、第６のビーム、第１３のビーム、第１４のビーム、第１５のビーム、第１６のビーム及び第１７のビームのうちの少なくとも１つを含み、
上記第３のビームは、Ｍｓｇ１を送信するアップリンクビームと関連関係を有するダウンリンクビームであり、
上記第４のビームは、受信されたダウンリンク参照信号における品質が第１の閾値よりも優れるダウンリンクビームと疑似コロケーションＱＣＬ関係を有するダウンリンクビームであり、
上記第５のビームは、受信されたダウンリンク参照信号における品質が第１の閾値よりも優れるダウンリンクビームと同じであるダウンリンクビームであり、
上記第６のビームは、専用無線リソース制御ＲＲＣメッセージ中に設定されたダウンリンクビームであり、
上記第１３のビームは、Ｍｓｇ２中で指示されたダウンリンクビームであり、
上記第１４のビームは、Ｍｓｇ２を受信するダウンリンクビームであり、
上記第１５のビームは、Ｍｓｇ２を受信するダウンリンクビームと疑似コロケーションＱＣＬ関係を有するダウンリンクビームであり、
上記第１６のビームは、Ｍｓｇ３を送信するアップリンクビームと関連関係を有するダウンリンクビームであり、
上記第１７のビームは、専用無線リソース制御ＲＲＣメッセージ中に設定されたアップリンクビームと関連関係を有するダウンリンクビームである。
【０１２９】
好ましくは、上記第６のビームが、利用可能であり、かつＭｓｇ１を送信するアップリンクビームと関連関係を有する場合、或いは、上記第６のビームが、利用可能であり、かつ受信されたダウンリンク参照信号における品質が第１の閾値よりも優れるダウンリンクビームとＱＣＬ関係を有する場合、或いは、上記第６のビームが、利用可能であり、かつ受信されたダウンリンク参照信号における品質が第１の閾値よりも優れるダウンリンクビームと同じである場合、上記ターゲットビームは、上記第６のビームであり、そうでなければ、上記第３のビーム、上記第４のビーム、上記第５のビーム、上記第１３のビーム、上記第１４のビーム、上記第１５のビーム、上記第１６のビーム又は上記第１７のビームである。
【０１３０】
好ましくは、上記ターゲットビームは、上記選択可能なビームのうちの、利用可能で最も優先度の高いビームである。
【０１３１】
好ましくは、上記選択可能なビームは、ネットワーク装置がＭｓｇ２により端末装置に対して指示したビームを含む。
【０１３２】
好ましくは、上記選択可能なビームは、ネットワーク装置が専用無線リソース制御ＲＲＣメッセージにより端末装置に対して設定したビームによって決定されるビームを含む。
【０１３３】
理解できるように、本開示の実施例では、無線周波数ユニット６０１は、情報の送受信中又は通話中の信号の送受信に適用可能であり、具体的には、基地局からのダウンリンクデータを受信した後、プロセッサ６１０に処理させ、また、アップリンクデータを基地局に送信する。一般的には、無線周波数ユニット６０１は、アンテナ、少なくとも１つの増幅器、送受信機、カプラ、低雑音増幅器、デュプレクサなどを含むが、これらに限定されない。また、無線周波数ユニット６０１は、さらに、無線通信システムによりネットワーク及び他の装置と通信することができる。
【０１３４】
端末装置は、ネットワークモジュール６０２によりユーザに無線のブロードバンドインターネットアクセスを提供して、例えば、ユーザの電子メールの送受信、ウェブの閲覧及びストリーミングメディアのアクセスなどを助ける。
【０１３５】
オーディオ出力ユニット６０３は、無線周波数ユニット６０１又はネットワークモジュール６０２によって受信されるか又はメモリ６０９に記憶されているオーディオデータを、オーディオ信号に変換して音声として出力することができる。そして、オーディオ出力ユニット６０３は、端末装置６００によって実行される特定の機能に関連するオーディオ出力（例えば、着信音、メッセージ着信音など）をさらに提供することができる。オーディオ出力ユニット６０３は、スピーカー、ブザー及びレシーバーなどを含む。
【０１３６】
入力ユニット６０４は、オーディオ又はビデオ信号を受信する。入力ユニット６０４は、グラフィック処理ユニット（Ｇｒａｐｈｉｃｓ  Ｐｒｏｃｅｓｓｉｎｇ  Ｕｎｉｔ、ＧＰＵ）６０４１及びマイクロフォン６０４２を含んでよく、グラフィックプロセッサ６０４１は、動画撮影モード又は撮影モードで撮影装置（例えば、カメラ）によって取得された静止画像又はビデオの画像データを処理する。処理後の画像フレームは、表示ユニット６０６に表示することができる。グラフィック処理ユニット６０４１によって処理された画像フレームは、メモリ６０９（又は他の記憶媒体）に記憶されてもよく、無線周波数ユニット６０１又はネットワークモジュール６０２によって送信されてもよい。マイクロフォン６０４２は、音声を受信して、このような音声をオーディオデータに処理することができる。処理後のオーディオデータは、電話通話モードの場合に無線周波数ユニット６０１によって移動通信基地局に送信可能なフォーマットに変換されて出力することができる。
【０１３７】
端末装置６００は、光センサ、動きセンサ及び他のセンサなどのような少なくとも１種のセンサ６０５をさらに含む。具体的には、光センサは、環境光線の明るさに応じて表示パネル６０６１の輝度を調整することができる環境光センサと、端末装置６００が耳元に移動するときに、表示パネル６０６１及び／又はバックライトをオフにすることができる近接センサとを含む。動きセンサの１種として、加速センサは、各方向（一般に３軸）の加速度の大きさを検出することができ、静止時に重力の大きさ及び方向を検出することができ、端末装置の姿勢の識別（例えば、縦向き／横向きの切り替え、ゲーム関連、磁力計の姿勢較正）、振動識別に関連する機能（例えば、歩数計、タッピング）などに用いられてよく、センサ６０５は、指紋センサ、圧力センサ、虹彩センサ、分子センサ、ジャイロスコープ、気圧計、湿度計、温度計、赤外線センサなどをさらに含んでよく、ここでは説明を省略する。
【０１３８】
表示ユニット６０６は、ユーザにより入力された情報又はユーザに提供する情報を表示する。表示ユニット６０６は、表示パネル６０６１を含んでよく、液晶ディスプレイ（Ｌｉｑｕｉｄ  Ｃｒｙｓｔａｌ  Ｄｉｓｐｌａｙ、ＬＣＤ）、有機発光ダイオード（Ｏｒｇａｎｉｃ  Ｌｉｇｈｔ−Ｅｍｉｔｔｉｎｇ  Ｄｉｏｄｅ、ＯＬＥＤ）などの形態で表示パネル６０６１を配置することができる。
【０１３９】
ユーザ入力ユニット６０７は、入力された数字又は文字情報を受信すると共に、端末装置のユーザ設定及び機能制御に関連するキー信号入力を生成することができる。具体的には、ユーザ入力ユニット６０７は、タッチパネル６０７１及び他の入力装置６０７２を含む。タッチパネル６０７１は、タッチスクリーンとも呼ばれ、その上又はその近くでのユーザのタッチ操作（例えば、指、スタイラスペンなどの任意の適切な物体又は付属品を用いるタッチパネル６０７１上又はタッチパネル６０７１の近くでのユーザの操作）を収集することができる。タッチパネル６０７１は、タッチ検出装置及びタッチコントローラという２つの部分を含んでもよい。タッチ検出装置は、ユーザのタッチ位置を検出し、タッチ操作による信号を検出し、信号をタッチコントローラに伝送し、タッチコントローラは、タッチ検出装置からタッチ情報を受信し、タッチポイント座標に変換して、プロセッサ６１０に送信し、プロセッサ６１０から送信された命令を受信し、実行する。また、抵抗式、容量式、赤外線式及び表面弾性波式などの複数のタイプでタッチパネル６０７１を実現することができる。タッチパネル６０７１に加えて、ユーザ入力ユニット６０７は、他の入力装置６０７２をさらに含んでよい。具体的には、他の入力装置６０７２は、物理キーボード、機能キー（例えば、ボリューム調節キー、スイッチキーなど）、トラックボール、マウス及び操作レバーを含み得るがこれらに限定されず、ここでは説明を省略する。
【０１４０】
さらに、タッチパネル６０７１は、表示パネル６０６１にカバーされてよく、タッチパネル６０７１がその上又はその近くでのタッチ操作を検出した後、プロセッサ６１０に伝送してタッチイベントのタイプを決定し、その後に、プロセッサ６１０は、タッチイベントのタイプに応じて表示パネル６０６１に対応する視覚的出力を提供する。図６において、タッチパネル６０７１と表示パネル６０６１は、２つの独立した部品として端末装置の入出力機能を実現するが、いくつかの実施例では、タッチパネル６０７１と表示パネル６０６１を一体化して端末装置の入出力機能を実現することができ、ここでは具体的に限定しない。
【０１４１】
インタフェースユニット６０８は、外部装置と端末装置６００を接続するインタフェースである。例えば、外部装置は、有線又は無線ヘッドフォンポート、外部電源（又は電池充電器）ポート、有線又は無線データポート、メモリカードポート、識別モジュールを備えた装置との接続用ポート、オーディオ入力／出力（Ｉ／Ｏ）ポート、ビデオＩ／Ｏポート、ヘッドフォンポートなどを含んでよい。インタフェースユニット６０８は、外部装置からの入力（例えば、データ情報、電力など）を受信すると共に、受信した入力を端末装置６００内の１つ又は複数の素子に伝送するか又は端末装置６００と外部装置の間のデータを伝送することができる。
【０１４２】
メモリ６０９は、ソフトウェアプログラム及び様々なデータを記憶することができる。メモリ６０９は、主に、オペレーティングシステム、少なくとも１つの機能（例えば、音声再生機能、画像再生機能など）に必要なアプリケーションプログラムなどを記憶することができるプログラム記憶領域と、携帯電話の使用に応じて作成されたデータ（例えば、オーディオデータ、電話帳など）などを記憶することができるデータ記憶領域とを含んでよい。また、メモリ６０９は、高速ランダムアクセスメモリを含んでもよく、少なくとも１つの磁気ディスクメモリ素子、フラッシュメモリ素子又は他の揮発性固体メモリ素子などの不揮発性メモリを含んでもよい。
【０１４３】
プロセッサ６１０は、端末装置の制御センターであり、様々なインタフェースと回線により端末装置全体の各部分に接続され、メモリ６０９に記憶されているソフトウェアプログラム及び／又はモジュールを動作させるか又は実行し、かつメモリ６０９に記憶されているデータを呼び出すことにより、端末装置の様々な機能とデータ処理を実行して、端末装置全体を監視する。プロセッサ６１０は、１つ以上の処理ユニットを含んでよく、好ましくは、プロセッサ６１０は、主にオペレーティングシステム、ユーザインタフェース及びアプリケーションプログラムなどを処理するアプリケーションプロセッサと、主に無線通信を処理するモデムプロセッサとを集積することができる。理解できるように、上記モデムプロセッサは、プロセッサ６１０に集積されなくてよい。
【０１４４】
端末装置６００は、各部品に給電する電源６１１（例えば、電池）をさらに含んでよく、好ましくは、電源６１１は、電源管理システムによりプロセッサ６１０と論理的に接続されて、電源管理システムにより充電、放電の管理及び消費電力の管理などの機能を実現することができる。
【０１４５】
また、端末装置６００は、いくつかの未図示の機能モジュールを含み、ここでは説明を省略する。
【０１４６】
好ましくは、本開示の実施例に係る端末装置は、プロセッサ６１０と、メモリ６０９と、メモリ６０９に記憶されて上記プロセッサ６１０上で実行可能で、プロセッサ６１０によって実行されると、上記ランダムアクセス方法の実施例の各ステップを実現し、かつ同様な技術的効果を達成することができるコンピュータプログラムとを含み、重複を避けるために、ここでは説明を省略する。
【０１４７】
本開示の実施例に係るコンピュータ可読記憶媒体は、プロセッサによって実行されると、上記ランダムアクセス方法の実施例の各プロセスを実現し、かつ同様な技術的効果を達成することができるコンピュータプログラムが記憶されており、重複を避けるために、ここでは説明を省略する。上記コンピュータ可読記憶媒体は、読み取り専用メモリ（Ｒｅａｄ−Ｏｎｌｙ  Ｍｅｍｏｒｙ、ＲＯＭ）、ランダムアクセスメモリ（Ｒａｎｄｏｍ  Ａｃｃｅｓｓ  Ｍｅｍｏｒｙ、ＲＡＭ）、磁気ディスク又は光ディスクなどであってよい。
【０１４８】
図７を参照すると、図７は、本開示の実施例に係るネットワーク装置の構成図であり、図７に示すように、ネットワーク装置７００は、プロセッサ７０１、メモリ７０２、バスインタフェース７０３及びトランシーバー７０４を含み、プロセッサ７０１、メモリ７０２及びトランシーバー７０４がいずれもバスインタフェース７０３に接続される。
【０１４９】
本開示の実施例では、ネットワーク装置７００は、メモリ７０２に記憶されてプロセッサ７０１上で実行可能で、プロセッサ７０１によって実行されると、
選択可能なビームのうちのターゲットビームを用いてランダムアクセスプロセスにおけるメッセージを伝送するステップを実現するコンピュータプログラムをさらに含み、
上記ランダムアクセスプロセスにおけるメッセージは、Ｍｓｇ１、Ｍｓｇ２、Ｍｓｇ３又はＭｓｇ４である。
【０１５０】
好ましくは、上記メッセージがＭｓｇ１である場合、上記選択可能なビームは、第１のビーム及び／又は第２のビームを含み、
上記第１のビームは、受信されたダウンリンク参照信号における品質が第１の閾値よりも優れるダウンリンクビームと関連関係を有するアップリンクビームであり、
上記第２のビームは、専用無線リソース制御ＲＲＣメッセージ中に設定されたダウンリンクビームと関連関係を有するアップリンクビームである。
【０１５１】
好ましくは、上記メッセージがＭｓｇ２である場合、上記選択可能なビームは、第３のビーム、第４のビーム、第５のビーム及び第６のビームのうちの少なくとも１つを含み、
上記第３のビームは、Ｍｓｇ１を送信するアップリンクビームと関連関係を有するダウンリンクビームであり、
上記第４のビームは、受信されたダウンリンク参照信号における品質が第１の閾値よりも優れるダウンリンクビームと疑似コロケーションＱＣＬ関係を有するダウンリンクビームであり、
上記第５のビームは、受信されたダウンリンク参照信号における品質が第１の閾値よりも優れるダウンリンクビームと同じであるダウンリンクビームであり、
上記第６のビームは、専用無線リソース制御ＲＲＣメッセージ中に設定されたダウンリンクビームである。
【０１５２】
好ましくは、上記第６のビームが、利用可能であり、かつＭｓｇ１を送信するアップリンクビームと関連関係を有する場合、或いは、上記第６のビームが、利用可能であり、かつ受信されたダウンリンク参照信号における品質が第１の閾値よりも優れるダウンリンクビームとＱＣＬ関係を有する場合、或いは、上記第６のビームが、利用可能であり、かつ受信されたダウンリンク参照信号における品質が第１の閾値よりも優れるダウンリンクビームと同じである場合、上記ターゲットビームは、上記第６のビームであり、そうでなければ、第３のビーム、第４のビーム又は第５のビームである。
【０１５３】
好ましくは、上記メッセージがＭｓｇ３である場合、上記選択可能なビームは、第７のビーム、第８のビーム、第９のビーム、第１０のビーム、第１１のビーム及び第１２のビームのうちの少なくとも１つを含み、
上記第７のビームは、Ｍｓｇ１を送信するアップリンクビームと同じであるアップリンクビームであり、
上記第８のビームは、Ｍｓｇ１を送信するアップリンクビームと疑似コロケーションＱＣＬ関係を有するアップリンクビームであり、
上記第９のビームは、Ｍｓｇ２中で指示されたアップリンクビームであり、
上記第１０のビームは、専用無線リソース制御ＲＲＣメッセージ中に設定されたダウンリンクビームと関連関係を有するアップリンクビームであり、
上記第１１のビームは、専用無線リソース制御ＲＲＣメッセージ中に設定されたアップリンクビームであり、
上記第１２のビームは、Ｍｓｇ２を受信するダウンリンクビームと関連関係を有するアップリンクビームである。
【０１５４】
好ましくは、上記メッセージがＭｓｇ４である場合、上記選択可能なビームは、第３のビーム、第４のビーム、第５のビーム、第６のビーム、第１３のビーム、第１４のビーム、第１５のビーム、第１６のビーム及び第１７のビームのうちの少なくとも１つを含み、
上記第３のビームは、Ｍｓｇ１を送信するアップリンクビームと関連関係を有するダウンリンクビームであり、
上記第４のビームは、受信されたダウンリンク参照信号における品質が第１の閾値よりも優れるダウンリンクビームと疑似コロケーションＱＣＬ関係を有するダウンリンクビームであり、
上記第５のビームは、受信されたダウンリンク参照信号における品質が第１の閾値よりも優れるダウンリンクビームと同じであるダウンリンクビームであり、
上記第６のビームは、専用無線リソース制御ＲＲＣメッセージ中に設定されたダウンリンクビームであり、
上記第１３のビームは、Ｍｓｇ２中で指示されたダウンリンクビームであり、
上記第１４のビームは、Ｍｓｇ２を受信するダウンリンクビームであり、
上記第１５のビームは、Ｍｓｇ２を受信するダウンリンクビームと疑似コロケーションＱＣＬ関係を有するダウンリンクビームであり、
上記第１６のビームは、Ｍｓｇ３を送信するアップリンクビームと関連関係を有するダウンリンクビームであり、
上記第１７のビームは、専用無線リソース制御ＲＲＣメッセージ中に設定されたアップリンクビームと関連関係を有するダウンリンクビームである。
【０１５５】
好ましくは、上記第６のビームが、利用可能であり、かつＭｓｇ１を送信するアップリンクビームと関連関係を有する場合、或いは、上記第６のビームが、利用可能であり、かつ受信されたダウンリンク参照信号における品質が第１の閾値よりも優れるダウンリンクビームとＱＣＬ関係を有する場合、或いは、上記第６のビームが、利用可能であり、かつ受信されたダウンリンク参照信号における品質が第１の閾値よりも優れるダウンリンクビームと同じである場合、上記ターゲットビームは、上記第６のビームであり、そうでなければ、上記第３のビーム、上記第４のビーム、上記第５のビーム、上記第１３のビーム、上記第１４のビーム、上記第１５のビーム、上記第１６のビーム又は上記第１７のビームである。
【０１５６】
好ましくは、上記ターゲットビームは、上記選択可能なビームのうちの、利用可能で最も優先度の高いビームである。
【０１５７】
好ましくは、上記選択可能なビームは、ネットワーク装置がＭｓｇ２により端末装置に対して指示したビームを含む。
【０１５８】
好ましくは、上記選択可能なビームは、ネットワーク装置が専用無線リソース制御ＲＲＣメッセージにより端末装置に対して設定したビームによって決定されるビームを含む。
【０１５９】
好ましくは、本開示の実施例に係るネットワーク装置は、プロセッサ７０１と、メモリ７０２と、メモリ７０２に記憶されて上記プロセッサ７０１上で実行可能で、プロセッサ７０１によって実行されると、上記ランダムアクセス方法の実施例の各ステップを実現し、かつ同様な技術的効果を達成することができるコンピュータプログラムとを含み、重複を避けるために、ここでは説明を省略する。
【０１６０】
本開示の実施例に係るコンピュータ可読記憶媒体は、プロセッサによって実行されると、上記ランダムアクセス方法の実施例の各プロセスを実現し、かつ同様な技術的効果を達成することができるコンピュータプログラムが記憶されており、重複を避けるために、ここでは説明を省略する。上記コンピュータ可読記憶媒体は、読み取り専用メモリ（Ｒｅａｄ−Ｏｎｌｙ  Ｍｅｍｏｒｙ、ＲＯＭ）、ランダムアクセスメモリ（Ｒａｎｄｏｍ  Ａｃｃｅｓｓ  Ｍｅｍｏｒｙ、ＲＡＭ）、磁気ディスク又は光ディスクなどであってよい。
【０１６１】
なお、本明細書において、用語「含む」、「備える」及びそれらのいかなる変形は、非排他的な包含をカバーすることを意図し、一連の要素を含むプロセス、方法、製品又は装置は、それらの要素を含むだけでなく、明確に例示されていない他の要素をさらに含むか、又はこれらのプロセス、方法、製品又は装置に固有の要素をさらに含む。より多くの限定がない場合に、語句「１つ…を含む」により限定された要素は、該要素を含むプロセス、方法、製品又は装置に別の同一の要素がさらに存在することを排除するものではない。
【０１６２】
以上の実施形態の説明により、当業者が明確に理解できるように、上記実施例の方法は、ソフトウェアと必要な汎用ハードウェアプラットフォームを併用した方法で実現でき、当然のことながら、ハードウェアでも実現できるが、多くの場合に前者がより好ましい実施形態である。このような理解に基づいて、本開示の技術手段は、本質的又は従来技術に寄与する部分がソフトウェア製品の形態で具現化されてよく、該コンピュータソフトウェア製品は、記憶媒体（例えば、ＲＯＭ／ＲＡＭ、磁気ディスク、光ディスク）に記憶されており、一台の端末（携帯電話、コンピュータ、サーバ、エアコン又はネットワーク装置などであってもよい）に本開示の各実施例に記載の方法を実行させるための複数の命令を含む。
【０１６３】
以上で図面を参照しながら本開示の実施例を説明したが、本開示は、上記具体的な実施形態に限定されるものではなく、上記具体的な実施形態は、制限的なものではなく、例示的なものに過ぎず、当業者であれば、本開示の示唆で、本開示の趣旨及び特許請求の範囲の保護範囲から逸脱せずに多くの形式を行うことができ、これらはいずれも本開示の保護範囲内に属する。
【符号の説明】
【０１６４】
１１  端末装置
１２  ネットワーク装置
５００  通信装置
５０１  伝送モジュール
６００  端末装置
６０１  無線周波数ユニット
６０２  ネットワークモジュール
６０３  オーディオ出力ユニット
６０４  入力ユニット
６０４１  グラフィック処理ユニット
６０４２  マイクロフォン
６０５  センサ
６０６  表示ユニット
６０６１  表示パネル
６０７  ユーザ入力ユニット
６０７１  タッチパネル
６０７２  入力装置
６０８  インタフェースユニット
６０９  メモリ
６１０  プロセッサ
６１１  電源
７００  ネットワーク装置
７０１  プロセッサ
７０２  メモリ
７０３  バスインタフェース
７０４  トランシーバー
【図１】
2021520758.tif 000003
【図２】
2021520758.tif 000004
【図３】
2021520758.tif 000005
【図４】
2021520758.tif 000006
【図５】
2021520758.tif 000007
【図６】
2021520758.tif 000008
【図７】
2021520758.tif 000009
【手続補正書】
【提出日】令和2年11月10日(2020.11.10)
【手続補正１】
【補正対象書類名】特許請求の範囲
【補正対象項目名】全文
【補正方法】変更
【補正の内容】
【特許請求の範囲】
【請求項１】
選択可能なビームのうちのターゲットビームを用いてランダムアクセスプロセスにおけるメッセージを伝送することを含み、
前記ランダムアクセスプロセスにおけるメッセージは、Ｍｓｇ１、Ｍｓｇ２、Ｍｓｇ３又はＭｓｇ４である、ランダムアクセス方法。
【請求項２】
前記メッセージがＭｓｇ１である場合、前記選択可能なビームは、第１のビーム及び／又は第２のビームを含み、
前記第１のビームは、受信されたダウンリンク参照信号における品質が第１の閾値よりも優れるダウンリンクビームと関連関係を有するアップリンクビームであり、
前記第２のビームは、専用無線リソース制御ＲＲＣメッセージ中に設定されたダウンリンクビームと関連関係を有するアップリンクビームである、請求項１に記載の方法。
【請求項３】
前記メッセージがＭｓｇ２である場合、前記選択可能なビームは、第３のビーム、第４のビーム、第５のビーム及び第６のビームのうちの少なくとも１つを含み、
前記第３のビームは、Ｍｓｇ１を送信するアップリンクビームと関連関係を有するダウンリンクビームであり、
前記第４のビームは、受信されたダウンリンク参照信号における品質が第１の閾値よりも優れるダウンリンクビームと疑似コロケーションＱＣＬ関係を有するダウンリンクビームであり、
前記第５のビームは、受信されたダウンリンク参照信号における品質が第１の閾値よりも優れるダウンリンクビームと同じであるダウンリンクビームであり、
前記第６のビームは、専用無線リソース制御ＲＲＣメッセージ中に設定されたダウンリンクビームである、請求項１に記載の方法。
【請求項４】
前記第６のビームが、利用可能であり、かつＭｓｇ１を送信するアップリンクビームと関連関係を有する場合、或いは、前記第６のビームが、利用可能であり、かつ受信されたダウンリンク参照信号における品質が第１の閾値よりも優れるダウンリンクビームとＱＣＬ関係を有する場合、或いは、前記第６のビームが、利用可能であり、かつ受信されたダウンリンク参照信号における品質が第１の閾値よりも優れるダウンリンクビームと同じである場合、前記ターゲットビームは、前記第６のビームであり、そうでなければ、第３のビーム、第４のビーム又は第５のビームである、請求項３に記載の方法。
【請求項５】
前記メッセージがＭｓｇ３である場合、前記選択可能なビームは、第７のビーム、第８のビーム、第９のビーム、第１０のビーム、第１１のビーム及び第１２のビームのうちの少なくとも１つを含み、
前記第７のビームは、Ｍｓｇ１を送信するアップリンクビームと同じであるアップリンクビームであり、
前記第８のビームは、Ｍｓｇ１を送信するアップリンクビームと疑似コロケーションＱＣＬ関係を有するアップリンクビームであり、
前記第９のビームは、Ｍｓｇ２中で指示されたアップリンクビームであり、
前記第１０のビームは、専用無線リソース制御ＲＲＣメッセージ中に設定されたダウンリンクビームと関連関係を有するアップリンクビームであり、
前記第１１のビームは、専用無線リソース制御ＲＲＣメッセージ中に設定されたアップリンクビームであり、
前記第１２のビームは、Ｍｓｇ２を受信するダウンリンクビームと関連関係を有するアップリンクビームである、請求項１に記載の方法。
【請求項６】
前記メッセージがＭｓｇ４である場合、前記選択可能なビームは、第３のビーム、第４のビーム、第５のビーム、第６のビーム、第１３のビーム、第１４のビーム、第１５のビーム、第１６のビーム及び第１７のビームのうちの少なくとも１つを含み、
前記第３のビームは、Ｍｓｇ１を送信するアップリンクビームと関連関係を有するダウンリンクビームであり、
前記第４のビームは、受信されたダウンリンク参照信号における品質が第１の閾値よりも優れるダウンリンクビームと疑似コロケーションＱＣＬ関係を有するダウンリンクビームであり、
前記第５のビームは、受信されたダウンリンク参照信号における品質が第１の閾値よりも優れるダウンリンクビームと同じであるダウンリンクビームであり、
前記第６のビームは、専用無線リソース制御ＲＲＣメッセージ中に設定されたダウンリンクビームであり、
前記第１３のビームは、Ｍｓｇ２中で指示されたダウンリンクビームであり、
前記第１４のビームは、Ｍｓｇ２を受信するダウンリンクビームであり、
前記第１５のビームは、Ｍｓｇ２を受信するダウンリンクビームと疑似コロケーションＱＣＬ関係を有するダウンリンクビームであり、
前記第１６のビームは、Ｍｓｇ３を送信するアップリンクビームと関連関係を有するダウンリンクビームであり、
前記第１７のビームは、専用無線リソース制御ＲＲＣメッセージ中に設定されたアップリンクビームと関連関係を有するダウンリンクビームである、請求項１に記載の方法。
【請求項７】
前記第６のビームが、利用可能であり、かつＭｓｇ１を送信するアップリンクビームと関連関係を有する場合、或いは、前記第６のビームが、利用可能であり、かつ受信されたダウンリンク参照信号における品質が第１の閾値よりも優れるダウンリンクビームとＱＣＬ関係を有する場合、或いは、前記第６のビームが、利用可能であり、かつ受信されたダウンリンク参照信号における品質が第１の閾値よりも優れるダウンリンクビームと同じである場合、前記ターゲットビームは、前記第６のビームであり、そうでなければ、前記第３のビーム、前記第４のビーム、前記第５のビーム、前記第１３のビーム、前記第１４のビーム、前記第１５のビーム、前記第１６のビーム又は前記第１７のビームである、請求項６に記載の方法。
【請求項８】
前記ターゲットビームは、前記選択可能なビームのうちの、利用可能で最も優先度の高いビームである、請求項１に記載の方法。
【請求項９】
前記選択可能なビームは、ネットワーク装置がＭｓｇ２により端末装置に対して指示したビームを含む、請求項１に記載の方法。
【請求項１０】
前記選択可能なビームは、ネットワーク装置が専用無線リソース制御ＲＲＣメッセージにより端末装置に対して設定したビームによって決定されるビームを含む、請求項１に記載の方法。
【請求項１１】
選択可能なビームのうちのターゲットビームを用いてランダムアクセスプロセスにおけるメッセージを伝送する伝送モジュールを含み、
前記ランダムアクセスプロセスにおけるメッセージは、Ｍｓｇ１、Ｍｓｇ２、Ｍｓｇ３又はＭｓｇ４である、通信装置。
【請求項１２】
前記メッセージがＭｓｇ１である場合、前記選択可能なビームは、第１のビーム及び／又は第２のビームを含み、
前記第１のビームは、受信されたダウンリンク参照信号における品質が第１の閾値よりも優れるダウンリンクビームと関連関係を有するアップリンクビームであり、
前記第２のビームは、専用無線リソース制御ＲＲＣメッセージ中に設定されたダウンリンクビームと関連関係を有するアップリンクビームである、請求項１１に記載の通信装置。
【請求項１３】
前記メッセージがＭｓｇ２である場合、前記選択可能なビームは、第３のビーム、第４のビーム、第５のビーム及び第６のビームのうちの少なくとも１つを含み、
前記第３のビームは、Ｍｓｇ１を送信するアップリンクビームと関連関係を有するダウンリンクビームであり、
前記第４のビームは、受信されたダウンリンク参照信号における品質が第１の閾値よりも優れるダウンリンクビームと疑似コロケーションＱＣＬ関係を有するダウンリンクビームであり、
前記第５のビームは、受信されたダウンリンク参照信号における品質が第１の閾値よりも優れるダウンリンクビームと同じであるダウンリンクビームであり、
前記第６のビームは、専用無線リソース制御ＲＲＣメッセージ中に設定されたダウンリンクビームである、請求項１１に記載の通信装置。
【請求項１４】
前記第６のビームが、利用可能であり、かつＭｓｇ１を送信するアップリンクビームと関連関係を有する場合、或いは、前記第６のビームが、利用可能であり、かつ受信されたダウンリンク参照信号における品質が第１の閾値よりも優れるダウンリンクビームとＱＣＬ関係を有する場合、或いは、前記第６のビームが、利用可能であり、かつ受信されたダウンリンク参照信号における品質が第１の閾値よりも優れるダウンリンクビームと同じである場合、前記ターゲットビームは、前記第６のビームであり、そうでなければ、第３のビーム、第４のビーム又は第５のビームである、請求項１３に記載の通信装置。
【請求項１５】
前記メッセージがＭｓｇ３である場合、前記選択可能なビームは、第７のビーム、第８のビーム、第９のビーム、第１０のビーム、第１１のビーム及び第１２のビームのうちの少なくとも１つを含み、
前記第７のビームは、Ｍｓｇ１を送信するアップリンクビームと同じであるアップリンクビームであり、
前記第８のビームは、Ｍｓｇ１を送信するアップリンクビームと疑似コロケーションＱＣＬ関係を有するアップリンクビームであり、
前記第９のビームは、Ｍｓｇ２中で指示されたアップリンクビームであり、
前記第１０のビームは、専用無線リソース制御ＲＲＣメッセージ中に設定されたダウンリンクビームと関連関係を有するアップリンクビームであり、
前記第１１のビームは、専用無線リソース制御ＲＲＣメッセージ中に設定されたアップリンクビームであり、
前記第１２のビームは、Ｍｓｇ２を受信するダウンリンクビームと関連関係を有するアップリンクビームである、請求項１１に記載の通信装置。
【国際調査報告】
2021520758.tif 000010
2021520758.tif 000011
2021520758.tif 000012
2021520758.tif 000013